(57)【要約】  本開示の一態様に係る端末は、physical  uplink  shared  channel（ＰＵＳＣＨ）のスケジューリングのためのdownlink  control  information（ＤＣＩ）を受信する受信部と、hybrid  automatic  repeat  request−acknowledgement（ＨＡＲＱ−ＡＣＫ）情報のフィードバックタイミングの２以上のスロットが、前記ＰＵＳＣＨのスロットと重複する場合、前記ＤＣＩ内のdownlink  assignment  index（ＤＡＩ）フィールドの値に基づいて、前記ＰＵＳＣＨのうちの前記２以上のスロットにおいて前記ＨＡＲＱ−ＡＣＫ情報を送信するか否かを決定する制御部と、を有する。本開示の一態様によれば、上り共有チャネルにおける送達確認信号の送信を適切に制御できる。
2020040179.tif 000002
【特許請求の範囲】
【請求項１】
physical  uplink  shared  channel（ＰＵＳＣＨ）のスケジューリングのためのdownlink  control  information（ＤＣＩ）を受信する受信部と、
hybrid  automatic  repeat  request−acknowledgement（ＨＡＲＱ−ＡＣＫ）情報のフィードバックタイミングの２以上のスロットが、前記ＰＵＳＣＨのスロットと重複する場合、前記ＤＣＩ内のdownlink  assignment  index（ＤＡＩ）フィールドの値に基づいて、前記ＰＵＳＣＨのうちの前記２以上のスロットにおいて前記ＨＡＲＱ−ＡＣＫ情報を送信するか否かを決定する制御部と、を有する端末。
【請求項２】
前記ＰＵＳＣＨは、複数スロットにわたる繰り返し送信である、請求項１に記載の端末。
【請求項３】
前記ＤＡＩフィールドの値が１である場合、前記送信部は、前記ＰＵＳＣＨにおいて前記ＨＡＲＱ−ＡＣＫ情報を送信し、
前記ＤＡＩフィールドの値が０である場合、前記送信部は、前記ＰＵＳＣＨにおいて前記ＨＡＲＱ−ＡＣＫ情報を送信しない、請求項１又は請求項２に記載の端末。
【請求項４】
前記端末がセミスタティックＨＡＲＱ−ＡＣＫコードブックを設定された場合、前記制御部は、前記ＤＡＩフィールドの値に基づいて、前記ＰＵＳＣＨにおいて前記ＨＡＲＱ−ＡＣＫ情報を送信するか否かを決定する、請求項１から請求項３のいずれかに記載の端末。
【請求項５】
physical  uplink  shared  channel（ＰＵＳＣＨ）のスケジューリングのためのdownlink  control  information（ＤＣＩ）を受信するステップと、
hybrid  automatic  repeat  request−acknowledgement（ＨＡＲＱ−ＡＣＫ）情報のフィードバックタイミングの２以上のスロットが、前記ＰＵＳＣＨのスロットと重複する場合、前記ＤＣＩ内のdownlink  assignment  index（ＤＡＩ）フィールドの値に基づいて、前記ＰＵＳＣＨのうちの前記２以上のスロットにおいて前記ＨＡＲＱ−ＡＣＫ情報を送信するか否かを決定するステップと、を有する端末の無線通信方法。
【発明の詳細な説明】
【技術分野】
【０００１】
本開示は、次世代移動通信システムにおける端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、下り制御チャネル（例えば、ＰＤＣＣＨ：Physical  Downlink  Control  Channel）を介して伝送される下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。【０００５】
また、既存のＬＴＥシステムでは、１ｍｓのサブフレーム（伝送時間間隔（ＴＴＩ：Transmission  Time  Interval）などともいう）を用いて、下りリンク（ＤＬ：Downlink）および上りリンク（ＵＬ：Uplink）の通信が行われる。当該サブフレームは、チャネル符号化された１データパケットの送信時間単位であり、スケジューリング、リンクアダプテーションおよび再送制御（ＨＡＲＱ：Hybrid  Automatic  Repeat  Request）などの処理単位となる。【０００６】
また、既存のＬＴＥシステムでは、ＤＬ信号（例えば、ＰＤＳＣＨ）に対する送達確認信号（ＨＡＲＱ−ＡＣＫ、ＡＣＫ／ＮＡＣＫ、又はＡ／Ｎとも呼ぶ）を４サブフレーム後にフィードバックするように制御される。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
将来の無線通信システム（例えば、ＮＲ、５Ｇ、５Ｇ＋又はＲｅｌ．１５以降）では、ＤＬ信号（例えば、ＰＤＳＣＨ）に対する送達確認信号（ＨＡＲＱ−ＡＣＫ、ＡＣＫ／ＮＡＣＫ、又はＡ／Ｎとも呼ぶ）の送信タイミングを、ＤＣＩ等を利用してＵＥに指定することが想定される。また、ＵＥがＨＡＲＱ−ＡＣＫをコードブックに基づいて（コードブック単位で）フィードバックすることが想定される。【０００９】
また、ＮＲでは、ＤＣＩ等を利用して、上り共有チャネル（ＰＵＳＣＨ）の送信をＵＥに指定すること、ＵＥが上り共有チャネル上でＨＡＲＱ−ＡＣＫを送信することが想定される。【００１０】
しかし、上り共有チャネルにおいて送信されるＨＡＲＱ−ＡＣＫをどのように制御するかが問題となる。ＨＡＲＱ−ＡＣＫコードブックを適切に送信できなければ、通信品質の劣化等が生じるおそれがある。【００１１】
そこで、本開示は、上り共有チャネルにおける送達確認信号の送信を適切に制御する端末及び無線通信方法を提供することを目的の１つとする。
【課題を解決するための手段】
【００１２】
本開示の一態様に係る端末は、physical  uplink  shared  channel（ＰＵＳＣＨ）のスケジューリングのためのdownlink  control  information（ＤＣＩ）を受信する受信部と、hybrid  automatic  repeat  request−acknowledgement（ＨＡＲＱ−ＡＣＫ）情報のフィードバックタイミングの２以上のスロットが、前記ＰＵＳＣＨのスロットと重複する場合、前記ＤＣＩ内のdownlink  assignment  index（ＤＡＩ）フィールドの値に基づいて、前記ＰＵＳＣＨのうちの前記２以上のスロットにおいて前記ＨＡＲＱ−ＡＣＫ情報を送信するか否かを決定する制御部と、を有する。
【発明の効果】
【００１３】
本開示の一態様によれば、上り共有チャネルにおける送達確認信号の送信を適切に制御できる。
【図面の簡単な説明】
【００１４】
【図１】図１は、ＰＵＳＣＨ繰り返し送信におけるＨＡＲＱ−ＡＣＫピギーバックの一例を示す図である。
【図２】図２は、態様１−１−１に係るＨＡＲＱ−ＡＣＫピギーバックの一例を示す図である。
【図３】図３は、態様１−１−２に係るＨＡＲＱ−ＡＣＫピギーバックの一例を示す図である。
【図４】図４は、態様１−２−１に係るＨＡＲＱ−ＡＣＫピギーバックの一例を示す図である。
【図５】図５は、態様１−２−２に係るＨＡＲＱ−ＡＣＫピギーバックの一例を示す図である。
【図６】図６は、態様２−１−１に係るＨＡＲＱ−ＡＣＫピギーバックの一例を示す図である。
【図７】図７は、態様２−１−２に係るＨＡＲＱ−ＡＣＫピギーバックの一例を示す図である。
【図８】図８は、態様２−２−１に係るＨＡＲＱ−ＡＣＫピギーバックの一例を示す図である。
【図９】図９は、態様２−２−２に係るＨＡＲＱ−ＡＣＫピギーバックの一例を示す図である。
【図１０】図１０は、本実施の形態に係る無線通信システムの概略構成の一例を示す図である。
【図１１】図１１は、本実施の形態に係る基地局の全体構成の一例を示す図である。
【図１２】図１２は、本実施の形態に係る基地局の機能構成の一例を示す図である。
【図１３】図１３は、本実施の形態に係るユーザ端末の全体構成の一例を示す図である。
【図１４】図１４は、本実施の形態に係るユーザ端末の機能構成の一例を示す図である。
【図１５】図１５は、本実施の形態に係る基地局及びユーザ端末のハードウェア構成の一例を示す図である。
【発明を実施するための形態】
【００１５】
（ＨＡＲＱ−ＡＣＫコードブック）
将来の無線通信システム（以下、ＮＲとも記す）では、ＵＥが、ＨＡＲＱ−ＡＣＫコードブック（ＨＡＲＱ−ＡＣＫサイズと呼ばれてもよい）を準静的（semi-static）又は動的（dynamic）に決定することが検討されている。基地局がＵＥに対して、ＨＡＲＱ−ＡＣＫコードブックの決定方法を示す情報（例えば、ＨＡＲＱ−ＡＣＫコードブックが準静的か、動的かを示す情報）を、上位レイヤシグナリングを用いて通知してもよい。ＨＡＲＱ−ＡＣＫコードブックは、ＰＤＳＣＨのＨＡＲＱ−ＡＣＫコードブックと呼ばれてもよい。
【００１６】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１７】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００１８】
ＵＥが所定のセル、セルグループ（ＣＧ）、又はＰＵＣＣＨグループ、などにおいて、ＨＡＲＱ−ＡＣＫコードブックを準静的に決定すること（又は準静的なＨＡＲＱ−ＡＣＫコードブック）を設定される場合、当該ＨＡＲＱ−ＡＣＫコードブックの決定は、タイプ１ＨＡＲＱ−ＡＣＫコードブック決定と呼ばれてもよい。ＵＥがＨＡＲＱ−ＡＣＫコードブックを動的に決定すること（又は動的なＨＡＲＱ−ＡＣＫコードブック）を設定される場合、当該ＨＡＲＱ−ＡＣＫコードブックの決定は、タイプ２ＨＡＲＱ−ＡＣＫコードブック決定と呼ばれてもよい。
【００１９】
ＵＥは、タイプ１（セミスタティック）ＨＡＲＱ−ＡＣＫコードブック決定においては、上位レイヤシグナリングで設定される構成に基づいてＨＡＲＱ−ＡＣＫのビット数などを決定してもよい。当該設定される構成は、例えば、ＨＡＲＱ−ＡＣＫのフィードバックタイミングに関連付けられる範囲にわたってスケジューリングされるＤＬ送信（例えば、ＰＤＳＣＨ）の数（例えば、最大数、最小数など）を含んでもよい。
【００２０】
当該範囲は、ＨＡＲＱ−ＡＣＫバンドリングウィンドウ、ＨＡＲＱ−ＡＣＫフィードバックウィンドウ、バンドリングウィンドウ、フィードバックウィンドウなどとも呼ばれる。バンドリングウィンドウは、空間（space）、時間（time）及び周波数（frequency）の少なくとも１つの範囲に該当してもよい。
【００２１】
一方で、ＵＥは、タイプ２（ダイナミック）ＨＡＲＱ−ＡＣＫコードブック決定においては、下り制御情報（例えば、DL  assignment）に含まれるＤＬ割当てインデックス（ＤＡＩ：Downlink  Assignment  Indicator（Index））フィールドのビット列に基づいてＨＡＲＱ−ＡＣＫビット数などを決定してもよい。
【００２２】
ＵＥは、決定したＨＡＲＱ−ＡＣＫコードブックに基づいて、ＨＡＲＱ−ＡＣＫ情報ビットを決定（生成）し、生成したＨＡＲＱ−ＡＣＫを、上り制御チャネル（ＰＵＣＣＨ：Physical  Uplink  Control  Channel）及び上り共有チャネル（ＰＵＳＣＨ：Physical  Uplink  Shared  Channel）の少なくとも一方を用いて送信してもよい。
【００２３】
基地局は、スケジューリングされるＤＬデータの総数に関する情報を、ＰＤＳＣＨのスケジューリング指示に利用する下り制御情報に含めてＵＥに送信してもよい。なお、バンドリングウィンドウが複数の時間単位で設定される場合、基地局は、各スロットで送信されるＤＣＩに対して各スロットまでのＤＬデータの総数を通知してもよい。
【００２４】
スケジューリングされるＤＬデータの総数に関する情報は、ＵＥがフィードバックするＨＡＲＱ−ＡＣＫの総ビット数（又は、コードブックサイズ）に相当する。スケジューリングされるＤＬデータの総数に関する情報は、トータルＤＡＩ（Ｔ−ＤＡＩ、ＤＬトータルＤＡＩ）と呼ばれてもよい。
【００２５】
また、各ＰＤＳＣＨのスケジューリングに利用するＤＣＩにおいて、トータルＤＡＩに加えてカウンタＤＡＩ（Ｃ−ＤＡＩ）が含まれていてもよい。カウンタＤＡＩは、スケジューリングされたデータの累積値を示す。例えば、ある時間単位（スロット又はサブフレーム）においてスケジューリングされる１又は複数のＣＣの下り制御情報に、ＣＣインデックス順にナンバリングしたカウンタＤＡＩをそれぞれ含めてもよい。また、複数の時間単位にわたってスケジューリングされるＤＬデータに対するＨＡＲＱ−ＡＣＫをまとめてフィードバックする場合（例えば、バンドリンクウィンドウが複数スロットで構成される場合）、複数の時間単位にわたってカウンタＤＡＩを適用してもよい。
【００２６】
カウンタＤＡＩは、スロットインデックスが小さい期間からＣＣインデックスが小さい順番に累積されてもよい。
【００２７】
トータルＤＡＩは、スケジューリングされたデータの合計値（総数）を示す。例えば、ある時間単位（スロット又はサブフレーム）においてスケジューリングされる１又は複数のＣＣの下り制御情報に、スケジューリングされるデータ数をそれぞれ含めてもよい。つまり、同じスロットで送信される下り制御情報に含まれるトータルＤＡＩ値は同じとなる。また、複数の時間単位に渡ってスケジューリングされるＤＬデータに対するＨＡＲＱ−ＡＣＫをまとめてフィードバックする場合（例えば、バンドリンクウィンドウが複数スロットで構成される場合）、複数の時間単位に渡ってそれぞれトータルＤＡＩが設定されてもよい。
【００２８】
ＵＥは、基地局から上位レイヤシグナリング等でダイナミックＨＡＲＱ−ＡＣＫコードブックが設定された場合、フィードバックするＨＡＲＱ−ＡＣＫビット配置（ＨＡＲＱ−ＡＣＫビット順序、又はＡ／Ｎの割当て順序とも呼ぶ）を下り制御情報に含まれるカウンタＤＡＩに基づいて制御してもよい。
【００２９】
ＵＥは、受信した下り制御情報に含まれるカウンタＤＡＩが非連続となる場合、当該非連続となる対象（ＤＬデータ）をＮＡＣＫとして基地局にフィードバックする。これにより、ＵＥがあるＣＣのデータをスケジューリングする下り制御情報自体を検出ミスした場合でも、ＮＡＣＫとしてフィードバックすることにより、ＵＥが検出ミスしたＣＣ自体を認識できなくても再送制御を適切に行うことができる。
【００３０】
このように、ＨＡＲＱ−ＡＣＫビットの順序は、カウンタＤＡＩの値（カウンタＤＡＩ値）に基づいて決定される。また、所定時間単位（例えば、ＰＤＣＣＨモニタリングオケージョン）におけるカウンタＤＡＩ値は、ＣＣ（又は、セル）インデックスに基づいて決定される。
【００３１】
ＮＲでは、ＤＬ送信（例えば、ＰＤＳＣＨ）をスケジューリングするＤＣＩとして、第１のＤＣＩフォーマット及び第２のＤＣＩフォーマットが少なくとも定義されることが検討されている。第１のＤＣＩフォーマットと第２のＤＣＩフォーマットは、内容及びペイロードサイズ等が異なって定義される。第１のＤＣＩフォーマットは、ＤＣＩフォーマット１＿０と呼ばれてもよく、第２のＤＣＩフォーマットは、ＤＣＩフォーマット１＿１と呼ばれてもよい。
【００３２】
同様に、ＵＬ送信（例えば、ＰＵＳＣＨ）をスケジューリングするＤＣＩとして、ＤＣＩフォーマット０＿０及びＤＣＩフォーマット０＿１が少なくとも定義されることが検討されている。
【００３３】
ＮＲでは、カウンタＤＡＩは、第１のＤＣＩフォーマット及び第２のＤＣＩフォーマットの両方に含まれる一方で、トータルＤＡＩは、一方のＤＣＩフォーマットに含まれる構成とすることが検討されている。具体的には、第１のＤＣＩフォーマットにはトータルＤＡＩを含めず、第２のＤＣＩフォーマットにトータルＤＡＩを含めることが考えられる。
【００３４】
次に、ＰＵＳＣＨを利用したＨＡＲＱ−ＡＣＫのフィードバック制御について説明する。
【００３５】
ＵＥは、ＤＣＩフォーマットによりスケジューリングされないＰＵＳＣＨ（設定グラント（configured-grant）ＰＵＳＣＨ）又はＤＣＩフォーマット０＿０によりスケジューリングされるＰＵＳＣＨにＨＡＲＱ−ＡＣＫのフィードバックを多重する場合、ＰＵＣＣＨにおけるＨＡＲＱ−ＡＣＫの多重と同様の動作とすることができる。すなわち、２ビットのカウンタＤＡＩが第１のＤＣＩフォーマット１＿０及び第２のＤＣＩフォーマット１＿１の少なくとも一方に含まれる一方で、２ビットのトータルＤＡＩが一方のＤＣＩフォーマット（例えば第２のＤＣＩフォーマット１＿１）に含まれてもよい。
【００３６】
これに対し、ＵＥは、ＤＣＩフォーマット０＿１によりスケジューリングされるＰＵＳＣＨにＨＡＲＱ−ＡＣＫのフィードバックを多重する場合、２ビットのカウンタＤＡＩが第１のＤＣＩフォーマット１＿０及び第２のＤＣＩフォーマット１＿１の少なくとも一方に含まれる。また、ＵＥは、ＰＵＳＣＨをスケジューリングするＤＣＩ（例えば、ＤＣＩフォーマット０＿１）に含まれるＵＬ  ＤＡＩ（例えば、最初の２ビット）をトータルＤＡＩとして利用してもよい。
【００３７】
なお、単一のサービングセルのみが構成される場合には、第２のＤＣＩフォーマット１＿１にトータルＤＡＩが含まれない構成としてもよい。
【００３８】
また、ＵＥは、ダイナミックＨＡＲＱ−ＡＣＫコードブックを利用してＨＡＲＱ−ＡＣＫ送信を行う場合、トランスポートブロック（ＴＢ）単位で行ってもよいし、コードブロック（ＣＢ）単位で行ってもよい。この場合、ＴＢベースのＨＡＲＱ−ＡＣＫ送信とＣＢベースのＨＡＲＱ−ＡＣＫ送信について、ＨＡＲＱ−ＡＣＫコードブックを別々に生成（コードブックと、サブコードブックとを生成）してもよい。
【００３９】
例えば、２ビットのカウンタＤＡＩが第１のＤＣＩフォーマット１＿０及び第２のＤＣＩフォーマット１＿１の少なくとも一方に含まれ、２ビットのトータルＤＡＩが一方のＤＣＩフォーマット（例えば第２のＤＣＩフォーマット１＿１）に含まれてもよい。また、ＵＬ方向のトータルＤＡＩの最初の２ビットが最初のサブコードブックとしてＤＣＩフォーマット０＿１に含まれ、ＵＬ方向のトータルＤＡＩの次の２ビットが次のサブコードブックとしてＤＣＩフォーマット０＿１に含まれてもよい。
【００４０】
（ＰＤＳＣＨ−ｔｏ−ＡＣＫタイミング）
ＮＲにおいて、ＵＥは、ＰＤＳＣＨの受信から当該ＰＤＳＣＨに対応するＨＡＲＱ−ＡＣＫの送信までのタイミング（ＰＤＳＣＨ−ｔｏ−ＡＣＫタイミング、「Ｋ１」などと呼ばれてもよい）を、当該ＰＤＳＣＨをスケジューリングするＤＣＩ（ＤＬ  ＤＣＩ、ＤＬアサインメント、ＤＣＩフォーマット１＿０、ＤＣＩフォーマット１＿１などと呼ばれてもよい）に基づいて決定する。
【００４１】
例えば、ＵＥは、ＤＣＩフォーマット１＿０を検出すると、当該ＤＣＩに含まれる「ＰＤＳＣＨからＨＡＲＱへのタイミング指示フィールド（ＨＡＲＱフィードバックタイミング情報、PDSCH-to-HARQ-timing-indicator  field）」に基づいて、当該ＰＤＳＣＨの最終シンボルが含まれるスロットｎを基準としてスロットｎ＋ｋ（例えば、ｋは１から８までの整数）において当該ＰＤＳＣＨに対応するＨＡＲＱ−ＡＣＫを送信する。
【００４２】
ＵＥは、ＤＣＩフォーマット１＿１を検出すると、当該ＤＣＩに含まれる「ＰＤＳＣＨからＨＡＲＱへのタイミング指示フィールド」に基づいて、当該ＰＤＳＣＨの最終シンボルが含まれるスロットｎを基準としてスロットｎ＋ｋにおいて当該ＰＤＳＣＨに対応するＨＡＲＱ−ＡＣＫを送信する。ここでのｋと上記タイミング指示フィールドとの対応関係は、上位レイヤシグナリングによってＰＵＣＣＨ（又はＰＵＣＣＨグループ、セルグループ）ごとに、ＵＥに設定されてもよい。
【００４３】
例えば、上記対応関係は、ＲＲＣシグナリングのＰＵＣＣＨ設定情報要素（PUCCH  Config  information  element）に含まれるパラメータ（dl-DataToUL-ACK、Slot-timing-value-K1などと呼ばれてもよい）によって設定されてもよい。例えば、Ｋ１によって、ＰＤＳＣＨ−ｔｏ−ＡＣＫタイミング指示の複数の候補値が上位レイヤシグナリングによって設定され、ＰＤＳＣＨのスケジューリングのためのＤＣＩによって、複数の候補値の１つが指示されてもよい。
【００４４】
Ｋ１は、ＰＵＣＣＨグループ（又はセルグループ）ごとに設定されてもよい。Ｋ１は、ＨＡＲＱ−ＡＣＫを送信するチャネル（例えば、ＰＵＣＣＨ又はＰＵＳＣＨ）のニューメロロジー（例えば、ＳＣＳ）に基づいて判断される時間であってもよい。
【００４５】
（ＰＵＳＣＨ上のＨＡＲＱ−ＡＣＫ送信）
ＵＬ  ＤＣＩに基づく特定ＰＵＳＣＨのタイミング（例えば、スロット）が、ＤＬ  ＤＣＩに基づくＨＡＲＱ−ＡＣＫのタイミング（例えば、スロット）と一致する場合、ＵＥは、ＨＡＲＱ−ＡＣＫを特定ＰＵＳＣＨにピギーバックしてもよい。
【００４６】
ＵＥは、ＰＵＳＣＨ繰り返し送信（repetition）における１つのＰＵＳＣＨ上のＨＡＲＱ−ＡＣＫコードブックと、当該ＰＵＳＣＨ繰り返し送信における別のＰＵＳＣＨ上のＨＡＲＱ−ＡＣＫコードブックと、を送信する場合がある。
【００４７】
また、ＰＵＳＣＨ繰り返し送信をスケジュールするＤＣＩフォーマット０＿１内のＵＬ  ＤＡＩ（ＰＵＳＣＨをスケジュールするＤＣＩ（ＵＬグラント）内のＤＡＩ、第１ＤＡＩ）が、当該ＰＵＳＣＨ上のＨＡＲＱ−ＡＣＫピギーバックを示すことが検討されている。
【００４８】
ＵＥがセミスタティックＨＡＲＱ−ＡＣＫコードブックを設定された場合、ＵＬ  ＤＡＩは１ビットであり、ＨＡＲＱ−ＡＣＫがピギーバックされるか否かを示す。ＵＥがダイナミックＨＡＲＱ−ＡＣＫコードブックを設定された場合、ＵＬ  ＤＡＩは２ビットであり、ＨＡＲＱ−ＡＣＫコードブックサイズを示す。
【００４９】
図１の例では、ＵＥは、スロット＃０においてＤＣＩ＃０を受信し、ＤＣＩ＃０に基づいてＰＤＳＣＨ＃０を受信する。ＤＣＩ０は、ＰＤＳＣＨ＃０をスケジュールすると共に、ＰＤＳＣＨ＃０に対するＨＡＲＱ−ＡＣＫフィードバックタイミングとしてスロット＃６を指示する。その後、ＵＥは、スロット＃１においてＤＣＩ＃１を受信し、ＤＣＩ＃１に基づいてＰＤＳＣＨ＃１を受信する。ＤＣＩ＃１は、ＰＤＳＣＨ＃１をスケジュールすると共に、ＰＤＳＣＨ＃１に対するＨＡＲＱ−ＡＣＫフィードバックタイミングとしてスロット＃８を指示する。
【００５０】
その後、ＵＥは、スロット＃４においてＤＣＩ＃３を受信する。ＤＣＩ＃３は、スロット＃６〜＃９においてＰＵＳＣＨ＃０〜＃３から成るＰＵＳＣＨ繰り返し送信をスケジュールする。その後、ＵＥは、ＤＣＩ＃３に基づいて、スロット＃６〜＃９においてＰＵＳＣＨ＃０〜＃３を送信する。
【００５１】
この場合、ＵＥは、ＰＤＳＣＨ＃０に対するＨＡＲＱ−ＡＣＫコードブックを、ＰＵＳＣＨ＃０にピギーバックし、ＰＤＳＣＨ＃１に対するＨＡＲＱ−ＡＣＫコードブックを、ＰＵＳＣＨ＃２にピギーバックする。
【００５２】
このように、１つのＰＵＳＣＨ繰り返し送信に２つのＨＡＲＱ−ＡＣＫコードブックがピギーバックされる場合、ＵＬ  ＤＡＩは、当該ＰＵＳＣＨ繰り返し送信における１つのＰＵＳＣＨ上のＨＡＲＱ−ＡＣＫコードブックのみを示すことが考えられる。この場合、ＵＥがＵＬ  ＤＡＩに基づいてどのようにＨＡＲＱ−ＡＣＫ送信を制御するのかが明らかでない。よって、基地局は、当該ＰＵＳＣＨ繰り返し送信上のＨＡＲＱ−ＡＣＫコードブックを正しく受信できないおそれがある。
【００５３】
また、ＵＥがＰＤＳＣＨをスケジュールするＤＣＩ（ＤＬトータルＤＡＩ）の受信に失敗した場合、ＵＥによって送信されるＨＡＲＱ−ＡＣＫ数がＤＬトータルＤＡＩと異なるため、基地局は、ＨＡＲＱ−ＡＣＫを適切に取得できない。
【００５４】
そこで、本発明者らは、上り共有チャネルの繰り返し送信における送達確認信号（ＨＡＲＱ−ＡＣＫ）の送信を適切に制御する方法を着想した。
【００５５】
以下、本発明に係る実施形態について、図面を参照して詳細に説明する。以下の各態様は、それぞれ単独で適用されてもよいし、組み合わせて適用されてもよい。
【００５６】
（態様１）
ＵＥは、ＰＵＳＣＨ繰り返し送信においてＵＣＩ（ＨＡＲＱ−ＡＣＫ）をピギーバックする場合、ＰＵＳＣＨのレートマッチングを繰り返さなくてもよい。
【００５７】
ＵＥは、ＰＵＳＣＨ繰り返し送信の中の１つのＰＵＳＣＨ（特定ＰＵＳＣＨ）においてＵＬデータのレートマッチングを行い、当該ＰＵＳＣＨ繰り返し送信の中の特定ＰＵＳＣＨ以外のＰＵＳＣＨ（非特定ＰＵＳＣＨ）において、ＵＬデータのレートマッチングを行わなくてもよい。
【００５８】
ＵＥは、ＰＵＳＣＨ繰り返し送信の中の特定ＰＵＳＣＨにおいてＵＬデータのレートマッチングを行うか否かに関わらず、当該ＰＵＳＣＨ繰り返し送信の中の非特定ＰＵＳＣＨにおいて、ＵＬデータのレートマッチングを行わなくてもよい。言い換えれば、ＵＥは、非特定ＰＵＳＣＨがＨＡＲＱ−ＡＣＫフィードバックタイミングであるか否かに関わらず、非特定ＰＵＳＣＨにおいてＵＬデータのレートマッチングを行わなくてもよい。
【００５９】
＜態様１−１＞
ＵＥがセミスタティックＨＡＲＱ−ＡＣＫコードブック（タイプ１ＨＡＲＱ−ＡＣＫ子コードブック決定）を設定された場合について説明する。
【００６０】
セミスタティックＨＡＲＱ−ＡＣＫコードブックを設定されたＵＥは、次の態様１−１−１、１−１−２の１つに従ってもよい。
【００６１】
《態様１−１−１》
ＰＵＳＣＨ繰り返し送信をスケジュールするＤＣＩ（ＵＬ  ＤＣＩ、ＵＬグラント、ＤＣＩフォーマット０＿０、０＿１）内のＤＡＩ（ＵＬ  ＤＡＩ）は、当該ＰＵＳＣＨ繰り返し送信の中の１つのＰＵＳＣＨ（特定ＰＵＳＣＨ）上にＨＡＲＱ−ＡＣＫがピギーバックされるかを指示してもよい。
【００６２】
特定ＰＵＳＣＨは、ＰＵＳＣＨ繰り返し送信内の、ＨＡＲＱ−ＡＣＫを運ぶＰＵＳＣＨのうち、所定条件を満たすＰＵＳＣＨであってもよい。所定条件は、次の条件１〜３の１つであってもよい。
【００６３】
・条件１
特定ＰＵＳＣＨは、ＰＵＳＣＨ繰り返し送信内の、ＨＡＲＱ−ＡＣＫを運ぶ幾つかのＰＵＳＣＨのうち、最も早く且つ最も小さいＣＣインデックスを有するＰＵＳＣＨであってもよい。ＰＵＳＣＨ繰り返し送信が時間方向の繰り返しである場合、特定ＰＵＳＣＨは、ＰＵＳＣＨ繰り返し送信内の、ＨＡＲＱ−ＡＣＫを運ぶ幾つかのＰＵＳＣＨのうち、最も早いＰＵＳＣＨであってもよい。ＰＵＳＣＨ繰り返し送信が周波数方向の繰り返しである場合、ＰＵＳＣＨ繰り返し送信内の、ＨＡＲＱ−ＡＣＫを運ぶ幾つかのＰＵＳＣＨのうち、最も小さいＣＣインデックスを有するＰＵＳＣＨであってもよい。
【００６４】
・条件２
特定ＰＵＳＣＨは、ＰＵＳＣＨ繰り返し送信内のＰＵＳＣＨのうち、最も早く且つ最も小さいＣＣインデックスを有するＰＤＳＣＨに対するＨＡＲＱ−ＡＣＫがピギーバックされるＰＵＳＣＨであってもよい。
【００６５】
・条件３
特定ＰＵＳＣＨは、ＰＵＳＣＨ繰り返し送信内のＰＵＳＣＨのうち、最も早く且つ最も小さいＣＣインデックスを有するＰＤＣＣＨに基づくＨＡＲＱ−ＡＣＫがピギーバックされるＰＵＳＣＨであってもよい。
【００６６】
ＰＤＳＣＨをスケジュールするＤＣＩ（ＤＬ  ＤＣＩ、ＤＬアサインメント、ＤＣＩフォーマット１＿０、１＿１）内のＤＡＩ（ＤＬトータルＤＡＩ）は、スケジュールされるＰＤＳＣＨ数（ＨＡＲＱ−ＡＣＫ数）を指示してもよい。
【００６７】
ＵＥは、ＤＬ  ＤＣＩ内のＤＬトータルＤＡＩと、ＵＬ  ＤＣＩ内のＵＬ  ＤＡＩと、の少なくとも１つに基づいて、特定ＰＵＳＣＨにおけるＨＡＲＱ−ＡＣＫピギーバック（ＨＡＲＱ−ＡＣＫピギーバックの有無、ＨＡＲＱ−ＡＣＫコードブックサイズの少なくとも１つ）を制御してもよい。
【００６８】
ＵＥは、特定ＰＵＳＣＨに対応するＤＬ  ＤＡＩの受信に失敗した場合であっても、ＵＬ  ＤＡＩに基づいて特定ＰＵＳＣＨにおけるＨＡＲＱ−ＡＣＫ送信を決定することができ、基地局は、ＨＡＲＱ−ＡＣＫを適切に受信できる。
【００６９】
ＵＥは、特定ＰＵＳＣＨ上にＨＡＲＱ−ＡＣＫをピギーバックする場合、当該ＰＵＳＣＨ上のＵＬデータのレートマッチングによって得られるリソースに、ＨＡＲＱ−ＡＣＫをマップ（多重）してもよい。
【００７０】
ＰＵＳＣＨのレートマッチング処理は、実際に利用可能な無線リソースを考慮して、符号化後のビット（符号化ビット）の数を制御することをいう。実際に利用可能な無線リソースにマッピング可能なビット数よりも符号化ビット数が少ない場合、符号化ビットの少なくとも一部が繰り返されてもよい。当該マッピング可能なビット数よりも符号化ビット数が多い場合、符号化ビットの一部が削除されてもよい。
【００７１】
ＵＥは、特定ＰＵＳＣＨ上でＮビットまでのＨＡＲＱ−ＡＣＫを送信する場合、ＵＥは、特定ＰＵＳＣＨ上のＵＬデータのパンクチャリングによって得られるリソースに、ＨＡＲＱ−ＡＣＫをマップ（多重）してもよい。ＵＥは、特定ＰＵＳＣＨ上でＮビットよりも多いＨＡＲＱ−ＡＣＫを送信する場合、特定ＰＵＳＣＨ上のＵＬデータのレートマッチングによって得られるリソースに、ＨＡＲＱ−ＡＣＫをマップ（多重）してもよい。Ｎは２であってもよいし、他の整数であってもよい。
【００７２】
ＰＵＳＣＨのパンクチャ処理は、ＰＵＳＣＨ用に割り当てられたリソースを使えることを想定して（又は、使用できないリソース量を考慮しないで）符号化を行うが、実際に利用できないリソースに符号化シンボルをマッピングしない（リソースを空ける）ことを意味してもよい。受信側では、当該パンクチャされたリソースの符号化シンボルを復号に用いないようにすることで、パンクチャによる特性劣化を抑制することができる。
【００７３】
ＰＵＳＣＨ繰り返し送信の中の非特定ＰＵＳＣＨに、ＮビットまでのＨＡＲＱ−ＡＣＫをピギーバックすることが許容されてもよい。言い換えれば、ＵＥは、ＰＵＳＣＨ繰り返し送信の中の非特定ＰＵＳＣＨに、ＮビットまでのＨＡＲＱ−ＡＣＫをピギーバックしてもよい。Ｎは２であってもよいし、他の整数であってもよい。ＵＥは、非特定ＰＵＳＣＨ上のＵＬデータのパンクチャリングによって得られるリソースに、ＨＡＲＱ−ＡＣＫをマップ（多重）してもよい。
【００７４】
ＵＥは、ＤＬ  ＤＡＩ（ＤＬトータルＤＡＩ）と、所定数Ｎと、に基づいて、非特定ＰＵＳＣＨ上にＨＡＲＱ−ＡＣＫをピギーバックするかを決定してもよい。
【００７５】
ＵＥは、ＨＡＲＱ−ＡＣＫ関連（association）セット（ＨＡＲＱ−ＡＣＫコードブック関連セット、ＤＬ関連セット）を設定され、ＨＡＲＱ−ＡＣＫ関連セットに基づいて、ＰＤＳＣＨのスロットとＰＵＳＣＨのスロットを関連付けてもよい。ＨＡＲＱ−ＡＣＫ関連セット（ＤＬ関連セット）は、１つのスロットにおいて送信されるＨＡＲＱ−ＡＣＫに関連付けられたＰＤＳＣＨのスロットを示す。
【００７６】
ＵＥは、ＨＡＲＱ−ＡＣＫ関連セットのうち、ＰＤＳＣＨがないスロットに対するＨＡＲＱ−ＡＣＫとしてＮＡＣＫを送信してもよい。
【００７７】
基地局は、非特定ＰＵＳＣＨ上に、Ｎビットよりも多いＨＡＲＱ−ＡＣＫを設定しなくてもよい。言い換えれば、ＵＥは、非特定ＰＵＳＣＨ上に、Ｎビットよりも多いＨＡＲＱ−ＡＣＫを設定されないと想定してもよい（設定されると想定しなくてもよい）。ＵＥは、非特定ＰＵＳＣＨ上に、Ｎビットよりも多いＨＡＲＱ−ＡＣＫを設定された場合、エラーケースとして処理してもよい。
【００７８】
ＵＥが非特定ＰＵＳＣＨに対してＮビットまでのパンクチャリングを行う場合、基地局は、ＤＬトータルＤＡＩに基づいて、非特定ＰＵＳＣＨにＨＡＲＱ−ＡＣＫがピギーバックされていると想定し、非特定ＰＵＳＣＨにおけるＵＬデータ及びＨＡＲＱ−ＡＣＫを復号できる。
【００７９】
基地局は、ＤＬ  ＤＡＩと、所定数Ｎと、に基づいて、非特定ＰＵＳＣＨにおけるＵＬデータのパンクチャリングを処理することによって、ＵＬデータ及びＨＡＲＱ−ＡＣＫを適切に受信できる。
【００８０】
ＵＥがＤＬ  ＤＣＩの検出に失敗し、対応する非特定ＰＵＳＣＨのパンクチャリングを行わずに、ＰＵＳＣＨを送信したとしても、基地局は、ＨＡＲＱ−ＡＣＫコードブックのリソースのパンクチャリングを想定し、ＨＡＲＱ−ＡＣＫコードブックのリソースを用いずに、ＰＵＳＣＨを復号できる。
【００８１】
ＨＡＲＱ−ＡＣＫのタイミングが非特定ＰＵＳＣＨであり、且つ当該ＨＡＲＱ−ＡＣＫがＮビットより多い場合、ＵＥは、当該ＨＡＲＱ−ＡＣＫをドロップしてもよいし、当該非特定ＰＵＳＣＨの後の（次の）ＰＵＳＣＨ上にピギーバックしてもよい。
【００８２】
ＵＥは、ＮビットまでのＨＡＲＱ−ＡＣＫをＰＵＳＣＨ上にピギーバックする場合、ＰＵＳＣＨのＵＬデータのパンクチャリングを行い、Ｎビット以上の（Ｎビットを超える）ＨＡＲＱ−ＡＣＫをＰＵＳＣＨ上にピギーバックする場合、ＰＵＳＣＨのＵＬデータのレートマッチングを行ってもよい。基地局は、このＵＥ動作を想定し、ＰＵＳＣＨ及びＨＡＲＱ−ＡＣＫの復号を行ってもよい。
【００８３】
また、ＵＥは、非特定ＰＵＳＣＨ上にピギーバックされるＨＡＲＱ−ＡＣＫについて、通知されなくてもよいため、オーバーヘッドを抑えることができる。
【００８４】
また、非特定ＰＵＳＣＨ上のＨＡＲＱ−ＡＣＫコードブックの制約（Ｎビット）を与えることによって、ＰＵＳＣＨの受信性能を確保できる。
【００８５】
図２の例では、Ｎが２である。
【００８６】
スロット＃０において、ＵＥは、ＤＣＩ＃０と、ＤＣＩ＃０によってスケジュールされたＰＤＳＣＨ＃０とを受信する。
【００８７】
スロット＃１において、ＵＥは、ＤＣＩ＃１と、ＤＣＩ＃１によってスケジュールされたＰＤＳＣＨ＃１とを受信する。
【００８８】
スロット＃３において、ＵＥは、ＤＣＩ＃２と、ＤＣＩ＃２によってスケジュールされたＰＤＳＣＨ＃２とを受信する。
【００８９】
スロット＃４において、ＵＥは、ＤＣＩ＃３を受信する。ＤＣＩ＃３は、スロット＃６〜＃９における繰り返し回数Ｋ＝４の繰り返し送信をスケジュールする。
【００９０】
特定ＰＵＳＣＨは、最も早いＰＵＳＣＨ（ＰＵＳＣＨ＃０）である。
【００９１】
ＤＣＩ＃３内のＵＬ  ＤＡＩは、ＰＵＳＣＨ＃０（特定ＰＵＳＣＨ）上にＨＡＲＱ−ＡＣＫをピギーバックするかを示す。この例では、ＵＬ  ＤＡＩは、特定ＰＵＳＣＨ上にＨＡＲＱ−ＡＣＫをピギーバックすること（有効）を示す。
【００９２】
ＵＥは、ＨＡＲＱ−ＡＣＫ関連セット（Ｋ１＝｛３，４，５，６｝）を設定される。
【００９３】
スロット＃６に対するＨＡＲＱ−ＡＣＫ関連セットは、スロット＃０〜＃３である。このＨＡＲＱ−ＡＣＫ関連セットを設定されたＵＥは、スロット＃０〜＃３に対する４ビットＨＡＲＱ−ＡＣＫを、スロット＃６のＰＵＳＣＨ＃０（特定ＰＵＳＣＨ）にピギーバックする。
【００９４】
スロット＃７に対するＨＡＲＱ−ＡＣＫ関連セットは、スロット＃１〜＃４である。このＨＡＲＱ−ＡＣＫ関連セットは、非特定ＰＵＳＣＨに２ビットより多いＨＡＲＱ−ＡＣＫを設定するため、エラーケースとなる。ＵＥは、スロット＃７においてＨＡＲＱ−ＡＣＫを送信しなくてもよい。
【００９５】
スロット＃８に対するＨＡＲＱ−ＡＣＫ関連セットは、スロット＃２〜＃５である。このＨＡＲＱ−ＡＣＫ関連セットは、非特定ＰＵＳＣＨに２ビットより多いＨＡＲＱ−ＡＣＫを設定するため、エラーケースとなる。ＵＥは、スロット＃８においてＨＡＲＱ−ＡＣＫを送信しなくてもよい。
【００９６】
スロット＃９に対するＨＡＲＱ−ＡＣＫ関連セットは、スロット＃３〜＃５である。このＨＡＲＱ−ＡＣＫ関連セットは、非特定ＰＵＳＣＨに２ビットより多いＨＡＲＱ−ＡＣＫを設定するため、エラーケースとなる。ＵＥは、スロット＃９においてＨＡＲＱ−ＡＣＫを送信しなくてもよい。
【００９７】
《態様１−１−２》
ＰＵＳＣＨ繰り返し送信をスケジュールするＤＣＩ（ＵＬ  ＤＣＩ、ＵＬグラント、ＤＣＩフォーマット０＿０、０＿１）内のＤＡＩ（ＵＬ  ＤＡＩ）は、当該ＰＵＳＣＨ繰り返し送信の中の全てのＰＵＳＣＨ上にＨＡＲＱ−ＡＣＫがピギーバックされるかを指示してもよい。
【００９８】
ここで、当該ＰＵＳＣＨ繰り返し送信の中の全てのＰＵＳＣＨは、当該ＰＵＳＣＨ繰り返し送信のうち、ＰＤＳＣＨをスケジュールするＤＣＩ（ＤＬ  ＤＣＩ）によってＨＡＲＱ−ＡＣＫフィードバックタイミングに指定された全てのＰＵＳＣＨと読み替えられてもよいし、ＨＡＲＱ−ＡＣＫを送信可能な全てのＰＵＳＣＨと読み替えられてもよい。
【００９９】
ＵＬ  ＤＡＩが１である場合、ＵＥは、ＰＵＳＣＨ繰り返し送信の中の全てのＰＵＳＣＨにおいてＨＡＲＱ−ＡＣＫをピギーバックしてもよい。
【０１００】
ＵＬ  ＤＡＩが０である場合、ＵＥは、ＰＵＳＣＨ繰り返し送信の中の全てのＰＵＳＣＨにおいてＨＡＲＱ−ＡＣＫをピギーバックしなくてもよい。
【０１０１】
ＵＥは、セミスタティックＨＡＲＱ−ＡＣＫコードブック生成手順（タイプ１ＨＡＲＱ−ＡＣＫコードブック決定）に基づいて、ＨＡＲＱ−ＡＣＫコードブックサイズを決定してもよい。
【０１０２】
ＵＥは、ＨＡＲＱ−ＡＣＫ関連セットを設定され、ＨＡＲＱ−ＡＣＫ関連セットに基づいて、ＰＤＳＣＨのスロットとＰＵＳＣＨのスロットを関連付けてもよい。
【０１０３】
ＵＥは、ＨＡＲＱ−ＡＣＫ関連セットのうち、ＰＤＳＣＨがないスロットに対するＨＡＲＱ−ＡＣＫとしてＮＡＣＫを送信してもよい。
【０１０４】
また、ＵＥは、非特定ＰＵＳＣＨ上にピギーバックされるＨＡＲＱ−ＡＣＫについて、通知されなくてもよいため、オーバーヘッドを抑えることができる。
【０１０５】
図３の例において、ＵＥは、図２と同様の、ＤＣＩ＃０〜＃３、ＰＤＳＣＨ＃０〜＃２を受信する。
【０１０６】
ＤＣＩ＃３内のＵＬ  ＤＡＩは、ＰＵＳＣＨ＃０〜＃３（非特定ＰＵＳＣＨ）上にＨＡＲＱ−ＡＣＫをピギーバックするかを示す。この例では、ＵＬ  ＤＡＩは、非特定ＰＵＳＣＨ上にＨＡＲＱ−ＡＣＫをピギーバックすること（有効）を示す。
【０１０７】
ＵＥは、ＨＡＲＱ−ＡＣＫ関連セット（Ｋ１＝｛３，４，５，６｝）を設定される。
【０１０８】
スロット＃６に対するＨＡＲＱ−ＡＣＫ関連セット（ＤＬ関連セット）は、スロット＃０〜＃３である。ＵＥは、スロット＃０〜＃３に対する４ビットＨＡＲＱ−ＡＣＫをＰＵＳＣＨ＃０にピギーバックする。
【０１０９】
スロット＃７に対するＨＡＲＱ−ＡＣＫ関連セットは、スロット＃１〜＃４である。ＵＥは、スロット＃１〜＃４に対する４ビットＨＡＲＱ−ＡＣＫをＰＵＳＣＨ＃１にピギーバックする。
【０１１０】
スロット＃８に対するＨＡＲＱ−ＡＣＫ関連セットは、スロット＃２〜＃５である。ＵＥは、スロット＃２〜＃５に対する４ビットＨＡＲＱ−ＡＣＫをＰＵＳＣＨ＃２にピギーバックする。
【０１１１】
スロット＃６はＵＬスロットであるため、スロット＃９に対するＨＡＲＱ−ＡＣＫ関連セットは、スロット＃３〜＃５である。ＵＥは、スロット＃３〜＃５に対する３ビットＨＡＲＱ−ＡＣＫをＰＵＳＣＨ＃３にピギーバックする。
【０１１２】
ＵＥは、ＨＡＲＱ−ＡＣＫがないスロット（ＰＤＳＣＨがないスロット）に対するＨＡＲＱ−ＡＣＫをＮＡＣＫとしてもよい。
【０１１３】
＜態様１−２＞
ＵＥがダイナミックＨＡＲＱ−ＡＣＫコードブック（タイプ２ＨＡＲＱ−ＡＣＫ子コードブック決定）を設定された場合について説明する。
【０１１４】
ＰＵＳＣＨ繰り返し送信をスケジュールするＤＣＩ（ＵＬ  ＤＣＩ、ＵＬグラント、ＤＣＩフォーマット０＿０、０＿１）内のＤＡＩ（ＵＬ  ＤＡＩ）は、当該ＰＵＳＣＨ繰り返し送信の中の１つのＰＵＳＣＨ（特定ＰＵＳＣＨ）上のＨＡＲＱ−ＡＣＫコードブックサイズを指示してもよい。
【０１１５】
特定ＰＵＳＣＨは、ＰＵＳＣＨ繰り返し送信内の、ＨＡＲＱ−ＡＣＫを運ぶＰＵＳＣＨのうち、所定条件を満たすＰＵＳＣＨであってもよい。所定条件は、前述の条件１〜３の１つであってもよい。
【０１１６】
ＰＤＳＣＨをスケジュールするＤＣＩ（ＤＬ  ＤＣＩ、ＤＬアサインメント、ＤＣＩフォーマット１＿０、１＿１）内のＤＡＩ（ＤＬトータルＤＡＩ）は、スケジュールされるＰＤＳＣＨ数（ＨＡＲＱ−ＡＣＫ数）を指示してもよい。
【０１１７】
ＵＥは、ＤＬ  ＤＣＩ内のＤＬトータルＤＡＩと、ＵＬ  ＤＣＩ内のＵＬ  ＤＡＩと、の少なくとも１つに基づいて、特定ＰＵＳＣＨにおけるＨＡＲＱ−ＡＣＫコードブックサイズを決定してもよい。
【０１１８】
ＵＥは、特定ＰＵＳＣＨに対応するＤＬ  ＤＡＩの受信に失敗した場合であっても、ＵＬ  ＤＡＩに基づいて特定ＰＵＳＣＨにおけるＨＡＲＱ−ＡＣＫ送信を決定することができ、基地局は、ＨＡＲＱ−ＡＣＫを適切に受信できる。
【０１１９】
ＵＥは、特定ＰＵＳＣＨ上にＨＡＲＱ−ＡＣＫをピギーバックする場合、当該ＰＵＳＣＨ上のＵＬデータのレートマッチングによって得られるリソースに、ＨＡＲＱ−ＡＣＫをマップ（多重）してもよい。
【０１２０】
なお、ＵＥは、特定ＰＵＳＣＨ上でＮビットまでのＨＡＲＱ−ＡＣＫを送信する場合、ＵＥは、特定ＰＵＳＣＨ上のＵＬデータのパンクチャリングによって得られるリソースに、ＨＡＲＱ−ＡＣＫをマップ（多重）してもよい。ＵＥは、特定ＰＵＳＣＨ上でＮビットよりも多いＨＡＲＱ−ＡＣＫを送信する場合、特定ＰＵＳＣＨ上のＵＬデータのレートマッチングによって得られるリソースに、ＨＡＲＱ−ＡＣＫをマップ（多重）してもよい。Ｎは２であってもよいし、他の整数であってもよい。
【０１２１】
ダイナミックＨＡＲＱ−ＡＣＫコードブックを設定されたＵＥは、非特定ＰＵＳＣＨに対し、次の態様１−２−１、１−２−２の１つに従ってもよい。
【０１２２】
《態様１−２−１》
ＰＵＳＣＨ繰り返し送信の中の非特定ＰＵＳＣＨに、ＮビットまでのＨＡＲＱ−ＡＣＫをピギーバックすることが許容されてもよい。言い換えれば、ＵＥは、ＰＵＳＣＨ繰り返し送信の中の非特定ＰＵＳＣＨに、ＮビットまでのＨＡＲＱ−ＡＣＫをピギーバックしてもよい。Ｎは２であってもよいし、他の整数であってもよい。ＵＥは、非特定ＰＵＳＣＨにおけるＵＬデータのパンクチャリングによって、ＮビットまでのＨＡＲＱ−ＡＣＫを非特定ＰＵＳＣＨに多重してもよい。
【０１２３】
ＵＥは、ＤＬ  ＤＡＩ（ＤＬトータルＤＡＩ）と、所定数Ｎと、に基づいて、非特定ＰＵＳＣＨ上のＨＡＲＱ−ＡＣＫコードブックサイズを決定してもよい。
【０１２４】
基地局は、非特定ＰＵＳＣＨ上に、Ｎビットよりも多いＨＡＲＱ−ＡＣＫをスケジュールしなくてもよい。言い換えれば、ＵＥは、非特定ＰＵＳＣＨ上に、Ｎビットよりも多いＨＡＲＱ−ＡＣＫをスケジュールされないと想定してもよい（スケジュールされると想定しなくてもよい）。ＵＥは、非特定ＰＵＳＣＨ上に、Ｎビットよりも多いＨＡＲＱ−ＡＣＫをスケジュールされた場合、エラーケースとして処理してもよい。
【０１２５】
ＵＥが非特定ＰＵＳＣＨに対してＮビットまでのパンクチャリングを行う場合、基地局は、ＤＬトータルＤＡＩに基づいて、非特定ＰＵＳＣＨにＨＡＲＱ−ＡＣＫがピギーバックされていると想定し、非特定ＰＵＳＣＨにおけるＵＬデータ及びＨＡＲＱ−ＡＣＫを復号できる。
【０１２６】
基地局は、ＤＬ  ＤＡＩと、所定数Ｎと、に基づいて、非特定ＰＵＳＣＨにおけるＵＬデータのパンクチャリングを処理することによって、ＵＬデータ及びＨＡＲＱ−ＡＣＫを適切に受信できる。
【０１２７】
ＵＥがＤＬ  ＤＣＩの検出に失敗し、対応する非特定ＰＵＳＣＨのパンクチャリングを行わずに、ＰＵＳＣＨを送信したとしても、基地局は、ＨＡＲＱ−ＡＣＫコードブックのリソースのパンクチャリングを想定し、ＨＡＲＱ−ＡＣＫコードブックのリソースを用いずに、ＰＵＳＣＨを復号できる。
【０１２８】
ＨＡＲＱ−ＡＣＫのタイミングが非特定ＰＵＳＣＨであり、且つ当該ＨＡＲＱ−ＡＣＫがＮビットより多い場合、ＵＥは、当該ＨＡＲＱ−ＡＣＫをドロップしてもよいし、当該非特定ＰＵＳＣＨの後の（次の）ＰＵＳＣＨ上にピギーバックしてもよい。
【０１２９】
ＵＥは、ＮビットまでのＨＡＲＱ−ＡＣＫをＰＵＳＣＨ上にピギーバックする場合、ＰＵＳＣＨのＵＬデータのパンクチャリングを行い、Ｎビット以上の（Ｎビットを超える）ＨＡＲＱ−ＡＣＫをＰＵＳＣＨ上にピギーバックする場合、ＰＵＳＣＨのＵＬデータのレートマッチングを行ってもよい。基地局は、このＵＥ動作を想定し、ＰＵＳＣＨ及びＨＡＲＱ−ＡＣＫの復号を行ってもよい。
【０１３０】
また、ＵＥは、非特定ＰＵＳＣＨ上にピギーバックされるＨＡＲＱ−ＡＣＫについて、ＤＬ  ＤＣＩ以外で通知されなくてもよいため、オーバーヘッドを抑えることができる。
【０１３１】
また、非特定ＰＵＳＣＨ上のＨＡＲＱ−ＡＣＫコードブックの制約（Ｎビット）を与えることによって、ＰＵＳＣＨの受信性能を確保できる。
【０１３２】
図４の例では、Ｎは２である。
【０１３３】
スロット＃０において、ＵＥは、ＤＣＩ＃０と、ＤＣＩ＃０によってスケジュールされたＰＤＳＣＨ＃０とを受信する。ＤＣＩ＃０は、ＰＤＳＣＨ＃０に対するＨＡＲＱ−ＡＣＫフィードバックタイミングとしてスロット＃６を指示する。
【０１３４】
スロット＃１において、ＵＥは、ＤＣＩ＃１と、ＤＣＩ＃１によってスケジュールされたＰＤＳＣＨ＃１とを受信する。ＤＣＩ＃１は、ＰＤＳＣＨ＃１に対するＨＡＲＱ−ＡＣＫフィードバックタイミングとしてスロット＃６を指示する。
【０１３５】
スロット＃３において、ＵＥは、ＤＣＩ＃２と、ＤＣＩ＃２によってスケジュールされたＰＤＳＣＨ＃２とを受信する。ＤＣＩ＃２は、ＰＤＳＣＨ＃２に対するＨＡＲＱ−ＡＣＫフィードバックタイミングとしてスロット＃８を指示する。
【０１３６】
スロット＃４において、ＵＥは、ＤＣＩ＃３を受信する。ＤＣＩ＃３は、スロット＃６〜＃９における繰り返し回数Ｋ＝４の繰り返し送信をスケジュールする。
【０１３７】
上位レイヤシグナリングによってＵＥに設定されるＵＥ個別ＰＤＳＣＨパラメータ（例えば、PDSCH-Config）が、１つのＤＣＩがスケジュールするコードワードの最大数（例えば、コードワード最大数、maxNrofCodeWordsScheduledByDCI）を含んでもよい。コードワード最大数は、当該ＤＣＩ内のＭＣＳ（Modulation  and  Coding  Scheme）、ＲＶ（Redundancy  Version）、ＮＤＩ（New  Data  Indicator）の数を示す。コードワード最大数は、１又は２であってもよいし、他の整数であってもよい。
【０１３８】
この例において、ＵＥは、コードワード最大数＝２を設定される。よって、各ＰＤＳＣＨに対するＨＡＲＱ−ＡＣＫビット数は２である。特定ＰＵＳＣＨは、最も早いＰＵＳＣＨ（ＰＵＳＣＨ＃０）である。
【０１３９】
基地局は、スロット＃７、＃８、＃９において２ビットより多いＨＡＲＱ−ＡＣＫをスケジュールしない。
【０１４０】
ＤＣＩ＃０内のカウンタＤＡＩ（Ｃ＿ＤＡＩ）が１であり、ＤＣＩ＃１内のカウンタＤＡＩが２であり、ＤＣＩ＃２内のカウンタＤＡＩが１であり、ＤＣＩ＃３内のＵＬ  ＤＡＩが２であるとする。
【０１４１】
ＵＥは、ＵＬ  ＤＡＩ×コードワード最大数＝４のＨＡＲＱ−ＡＣＫを特定ＰＵＳＣＨにピギーバックする。すなわち、ＵＥは、ＰＤＳＣＨ＃０、＃１に対応する４ビットＨＡＲＱ−ＡＣＫをＰＵＳＣＨ＃０にピギーバックする。
【０１４２】
ＵＥは、非特定ＰＵＳＣＨ上に２ビットまでのＨＡＲＱ−ＡＣＫをピギーバックできるため、ＰＤＳＣＨ＃２に対応する２ビットＨＡＲＱ−ＡＣＫをＰＵＳＣＨ＃２にピギーバックする。
【０１４３】
《態様１−２−２》
ＵＥは、ＤＬ  ＤＣＩ内のＤＬ  ＤＡＩ（ＤＬトータルＤＡＩ）に基づいて、非特定ＰＵＳＣＨ上のＨＡＲＱ−ＡＣＫコードブックサイズを決定してもよい。
【０１４４】
ＵＥは、非特定ＰＵＳＣＨにおけるＵＬデータのレートマッチングによって得られるリソースに、ＨＡＲＱ−ＡＣＫをマップ（多重）してもよい。ＵＥは、非特定ＰＵＳＣＨにおけるＵＬデータのパンクチャリングによって得られるリソースに、ＨＡＲＱ−ＡＣＫをマップ（多重）してもよい。
【０１４５】
ＵＥは、非特定ＰＵＳＣＨ上でＮビットまでのＨＡＲＱ−ＡＣＫを送信する場合、ＵＥは、非特定ＰＵＳＣＨ上のＵＬデータのパンクチャリングによって得られるリソースに、ＨＡＲＱ−ＡＣＫをマップ（多重）してもよい。ＵＥは、非特定ＰＵＳＣＨ上でＮビットよりも多いＨＡＲＱ−ＡＣＫを送信する場合、非特定ＰＵＳＣＨ上のＵＬデータのレートマッチングによって得られるリソースに、ＨＡＲＱ−ＡＣＫをマップ（多重）してもよい。Ｎは２であってもよいし、他の整数であってもよい。
【０１４６】
基地局は、ＤＬトータルＤＡＩに基づいて、非特定ＰＵＳＣＨにおけるＵＬデータのレートマッチング又はパンクチャリングを処理することによって、ＵＬデータ及びＨＡＲＱ−ＡＣＫを適切に受信できる。
【０１４７】
図５の例において、ＵＥは、図４と同様の、ＤＣＩ＃０〜＃３、ＰＤＳＣＨ＃０〜＃２を受信する。ＵＥは、コードワード最大数＝２を設定される。よって、各ＰＤＳＣＨに対するＨＡＲＱ−ＡＣＫビット数は２である。特定ＰＵＳＣＨは、最も早いＰＵＳＣＨ（ＰＵＳＣＨ＃０）である。
【０１４８】
ＤＣＩ＃０において、カウンタＤＡＩ（Ｃ＿ＤＡＩ）が１であり、トータルＤＡＩ（Ｔ＿ＤＡＩ）が１である。ＤＣＩ＃１において、カウンタＤＡＩが２であり、トータルＤＡＩが２である。ＤＣＩ＃２において、カウンタＤＡＩが１であり、トータルＤＡＩが１である。
【０１４９】
ＤＣＩ＃３において、ＵＬ  ＤＡＩが２である。
【０１５０】
ＵＥは、ＤＣＩ＃３のＵＬ  ＤＡＩに基づいて、ＰＤＳＣＨ＃０、＃１に対応する４ビットＨＡＲＱ−ＡＣＫをＰＵＳＣＨ＃０（特定ＰＵＳＣＨ）にピギーバックする。ＵＥは、ＤＣＩ＃２のトータルＤＡＩに基づいて、ＰＤＳＣＨ＃２に対応する２ビットＨＡＲＱ−ＡＣＫをＰＵＳＣＨ＃２（非特定ＰＵＳＣＨ）にピギーバックする。
【０１５１】
（態様２）
ＵＥは、ＰＵＳＣＨ繰り返し送信においてＵＣＩをピギーバックする場合、ＰＵＳＣＨのレートマッチングを繰り返してもよい。
【０１５２】
ＵＥは、特定ＰＵＳＣＨにおけるＵＬデータのレートマッチングに従って、非特定ＰＵＳＣＨにおけるＵＬデータのレートマッチングを行ってもよい。例えば、ＵＥは、特定ＰＵＳＣＨのレートマッチングを行う場合、非特定ＰＵＳＣＨにおいて、特定ＰＵＳＣＨと同様のレートマッチングを行ってもよい。ＵＥは、特定ＰＵＳＣＨ内のレートマッチングのリソースに対応する非特定ＰＵＳＣＨ内のリソースにおいて（特定ＰＵＳＣＨにおけるレートマッチングと同じパターン及びサイズの）、レートマッチングを行ってもよい。
【０１５３】
＜態様２−１＞
ＵＥがセミスタティックＨＡＲＱ−ＡＣＫコードブック（タイプ１ＨＡＲＱ−ＡＣＫ子コードブック決定）を設定された場合について説明する。
【０１５４】
セミスタティックＨＡＲＱ−ＡＣＫコードブックを設定されたＵＥは、次の態様２−１−１、２−１−２の１つに従ってもよい。
【０１５５】
《態様２−１−１》
ＰＵＳＣＨ繰り返し送信をスケジュールするＤＣＩ（ＵＬ  ＤＣＩ、ＵＬグラント、ＤＣＩフォーマット０＿０、０＿１）内のＤＡＩ（ＵＬ  ＤＡＩ）は、当該ＰＵＳＣＨ繰り返し送信の中の１つのＰＵＳＣＨ（特定ＰＵＳＣＨ）上にＨＡＲＱ−ＡＣＫがピギーバックされるかを指示してもよい。
【０１５６】
特定ＰＵＳＣＨは、ＰＵＳＣＨ繰り返し送信内の、ＨＡＲＱ−ＡＣＫを運ぶＰＵＳＣＨのうち、所定条件を満たすＰＵＳＣＨであってもよい。所定条件は、前述の条件１〜３の１つであってもよい。
【０１５７】
特定ＰＵＳＣＨ上にピギーバックされたＨＡＲＱ−ＡＣＫビット数までのＨＡＲＱ−ＡＣＫが、非特定ＰＵＳＣＨ上にピギーバックされることが許容されてもよい。言い換えれば、ＵＥは、特定ＰＵＳＣＨ上にピギーバックされたＨＡＲＱ−ＡＣＫビット数までのＨＡＲＱ−ＡＣＫを、非特定ＰＵＳＣＨ上にピギーバックしてもよい。
【０１５８】
非特定ＰＵＳＣＨ上にピギーバックされるＨＡＲＱ−ＡＣＫビット数は、特定ＰＵＳＣＨ上にピギーバックされるＨＡＲＱ−ＡＣＫビット数であってもよい。
【０１５９】
ＰＵＳＣＨ繰り返し送信の中の１つの非特定ＰＵＳＣＨ上のＨＡＲＱ−ＡＣＫビット数が、特定ＰＵＳＣＨ上のＨＡＲＱ−ＡＣＫビット数よりも小さい場合、ＵＥは、当該ＰＵＳＣＨ上のＨＡＲＱ−ＡＣＫにＮＡＣＫを追加してもよい。これによって、ＵＥは、非特定ＰＵＳＣＨ上のＨＡＲＱ−ＡＣＫビット数を、特定ＰＵＳＣＨ上のＨＡＲＱ−ＡＣＫビット数と等しくしてもよい。
【０１６０】
ＵＥは、ＨＡＲＱ−ＡＣＫ関連セットを設定され、ＨＡＲＱ−ＡＣＫ関連セットに基づいて、ＰＤＳＣＨのスロットとＰＵＳＣＨのスロットを関連付けてもよい。
【０１６１】
ＵＥは、ＨＡＲＱ−ＡＣＫ関連セットに基づいて、ＨＡＲＱ−ＡＣＫコードブックサイズを決定してもよい。
【０１６２】
ＵＥは、ＨＡＲＱ−ＡＣＫ関連セットのうち、ＰＤＳＣＨがないスロットに対するＨＡＲＱ−ＡＣＫとしてＮＡＣＫを送信してもよい。
【０１６３】
基地局は、特定ＰＵＳＣＨに対応するＨＡＲＱ−ＡＣＫコードブックサイズよりも大きいＨＡＲＱ−ＡＣＫコードブックサイズを有する、非特定ＰＵＳＣＨに対応するＨＡＲＱ−ＡＣＫ関連セットを設定しなくてもよい。
【０１６４】
ＵＥは、特定ＰＵＳＣＨに対応するＨＡＲＱ−ＡＣＫコードブックサイズよりも大きいＨＡＲＱ−ＡＣＫコードブックサイズを有する、非特定ＰＵＳＣＨに対応するＨＡＲＱ−ＡＣＫコードブックサイズ関連セットを設定されないと想定してもよい（設定されると想定しなくてもよい）。ＵＥは、特定ＰＵＳＣＨに対応するＨＡＲＱ−ＡＣＫコードブックサイズよりも大きいＨＡＲＱ−ＡＣＫコードブックサイズを有する、非特定ＰＵＳＣＨに対応するＨＡＲＱ−ＡＣＫコードブックサイズ関連セットに設定された場合、エラーケースとして処理してもよい。
【０１６５】
図６の例において、ＵＥは、図２と同様の、ＤＣＩ＃０〜＃３、ＰＤＳＣＨ＃０〜＃２を受信する。
【０１６６】
特定ＰＵＳＣＨは、最も早いＰＵＳＣＨ（ＰＵＳＣＨ＃０）である。
【０１６７】
ＵＥは、ＨＡＲＱ−ＡＣＫ関連セット（Ｋ１＝｛３，４，５，６｝）を設定される。
【０１６８】
ＤＣＩ＃３内のＵＬ  ＤＡＩは、ＰＵＳＣＨ＃０（特定ＰＵＳＣＨ）にＨＡＲＱ−ＡＣＫをピギーバックするかを示す。この例では、ＵＬ  ＤＡＩは、非特定ＰＵＳＣＨ上にＨＡＲＱ−ＡＣＫをピギーバックすること（有効）を示す。
【０１６９】
スロット＃６に対するＨＡＲＱ−ＡＣＫ関連セット（ＤＬ関連セット）は、スロット＃０〜＃３である。ＵＥは、スロット＃０〜＃３に対する４ビットＨＡＲＱ−ＡＣＫを、スロット＃６（特定ＰＵＳＣＨ）のＰＵＳＣＨにピギーバックする。
【０１７０】
スロット＃７に対するＨＡＲＱ−ＡＣＫ関連セットは、スロット＃１〜＃４である。スロット＃１〜＃４に対する４ビットＨＡＲＱ−ＡＣＫを、スロット＃７（非特定ＰＵＳＣＨ）のＰＵＳＣＨにピギーバックする。
【０１７１】
スロット＃８に対するＨＡＲＱ−ＡＣＫ関連セットは、スロット＃２〜＃５である。スロット＃２〜＃５に対する４ビットＨＡＲＱ−ＡＣＫを、スロット＃８（非特定ＰＵＳＣＨ）のＰＵＳＣＨにピギーバックする。
【０１７２】
スロット＃９に対するＨＡＲＱ−ＡＣＫ関連セットは、スロット＃３〜＃５である。スロット＃３〜＃５に対する３ビットＨＡＲＱ−ＡＣＫに１ビットＮＡＣＫを追加した４ビットＨＡＲＱ−ＡＣＫを、スロット＃９（非特定ＰＵＳＣＨ）のＰＵＳＣＨにピギーバックする。
【０１７３】
《態様２−１−２》
ＰＵＳＣＨ繰り返し送信をスケジュールするＤＣＩ（ＵＬ  ＤＣＩ、ＵＬグラント、ＤＣＩフォーマット０＿０、０＿１）内のＤＡＩ（ＵＬ  ＤＡＩ）は、当該ＰＵＳＣＨ繰り返し送信の中の全てのＰＵＳＣＨ上にＨＡＲＱ−ＡＣＫがピギーバックされるかを指示してもよい。
【０１７４】
ここで、当該ＰＵＳＣＨ繰り返し送信の中の全てのＰＵＳＣＨは、当該ＰＵＳＣＨ繰り返し送信のうち、ＰＤＳＣＨをスケジュールするＤＣＩ（ＤＬ  ＤＣＩ）によってＨＡＲＱ−ＡＣＫフィードバックタイミングに指定された全てのＰＵＳＣＨと読み替えられてもよいし、ＨＡＲＱ−ＡＣＫを送信可能な全てのＰＵＳＣＨと読み替えられてもよい。
【０１７５】
ＵＬ  ＤＡＩが１である場合、ＵＥは、ＰＵＳＣＨ繰り返し送信の中の全てのＰＵＳＣＨにおいてＨＡＲＱ−ＡＣＫをピギーバックしてもよい。
【０１７６】
ＵＬ  ＤＡＩが０である場合、ＵＥは、ＰＵＳＣＨ繰り返し送信の中の全てのＰＵＳＣＨにおいてＨＡＲＱ−ＡＣＫをピギーバックしなくてもよい。
【０１７７】
ＵＥは、ＨＡＲＱ−ＡＣＫ関連セットを設定され、ＨＡＲＱ−ＡＣＫ関連セットに基づいて、ＰＤＳＣＨのスロットとＰＵＳＣＨのスロットを関連付けてもよい。
【０１７８】
ＵＥは、ＨＡＲＱ−ＡＣＫ関連セットに基づいて、ＨＡＲＱ−ＡＣＫコードブックサイズを決定してもよい。
【０１７９】
ＵＥは、ＨＡＲＱ−ＡＣＫ関連セットのうち、ＰＤＳＣＨがないスロットに対するＨＡＲＱ−ＡＣＫとしてＮＡＣＫを送信してもよい。
【０１８０】
ＰＵＳＣＨ繰り返し送信の中のＰＵＳＣＨにおけるＨＡＲＱ−ＡＣＫの最大ビット数（ＨＡＲＱ−ＡＣＫ最大数）が、ＰＵＳＣＨ繰り返し送信の中の各ＰＵＳＣＨ上にピギーバックされることが許容されてもよい。
【０１８１】
ＨＡＲＱ−ＡＣＫ最大数は、仕様に規定されてもよいし、上位レイヤシグナリングによってＵＥに設定されてもよい。ＨＡＲＱ−ＡＣＫ最大数は、ＨＡＲＱ−ＡＣＫ関連セットに基づいてもよい。
【０１８２】
ＰＵＳＣＨ繰り返し送信の中の１つの非特定ＰＵＳＣＨ上のＨＡＲＱ−ＡＣＫコードブックサイズ（ＨＡＲＱ−ＡＣＫビット数）が、特定ＰＵＳＣＨ上のＨＡＲＱ−ＡＣＫコードブックサイズよりも小さい場合、ＵＥは、当該非特定ＰＵＳＣＨ上のＨＡＲＱ−ＡＣＫにＮＡＣＫを追加してもよい。これによって、ＵＥは、当該非特定ＰＵＳＣＨ上のＨＡＲＱ−ＡＣＫコードブックサイズを特定ＰＵＳＣＨ上のＨＡＲＱ−ＡＣＫコードブックサイズと等しくしてもよい。
【０１８３】
ＰＵＳＣＨ繰り返し送信の中の各ＰＵＳＣＨ上のＨＡＲＱ−ＡＣＫビット数は、ＨＡＲＱ−ＡＣＫ最大数に等しくてもよい。ＵＥは、ＰＵＳＣＨ繰り返し送信のうち、ＨＡＲＱ−ＡＣＫフィードバックタイミングのＰＵＳＣＨ上に、ＨＡＲＱ−ＡＣＫ最大数のＨＡＲＱ−ＡＣＫをピギーバックしてもよい。
【０１８４】
ＰＵＳＣＨ繰り返し送信の中の１つのＰＵＳＣＨ上のＨＡＲＱ−ＡＣＫビット数が、ＨＡＲＱ−ＡＣＫ最大数よりも小さい場合、ＵＥは、当該ＰＵＳＣＨ上のＨＡＲＱ−ＡＣＫにＮＡＣＫを追加してもよい。これによって、ＵＥは、当該ＰＵＳＣＨ上のＨＡＲＱ−ＡＣＫビット数をＨＡＲＱ−ＡＣＫ最大数と等しくしてもよい。
【０１８５】
図７の例において、ＵＥは、図２と同様の、ＤＣＩ＃０〜＃３、ＰＤＳＣＨ＃０〜＃２を受信する。
【０１８６】
ＤＣＩ＃３内のＵＬ  ＤＡＩは、ＰＵＳＣＨ＃０〜＃３上にＨＡＲＱ−ＡＣＫをピギーバックするかを示す。この例では、ＵＬ  ＤＡＩは、非特定ＰＵＳＣＨ上にＨＡＲＱ−ＡＣＫをピギーバックすること（有効）を示す。
【０１８７】
ＨＡＲＱ−ＡＣＫ最大数は５である。ＵＥは、ＨＡＲＱ−ＡＣＫ関連セット（Ｋ１＝｛３，４，５，６、７｝）を設定される。
【０１８８】
ＤＣＩ＃３内のＵＬ  ＤＡＩは、ＰＵＳＣＨ＃０〜＃３（全てのＰＵＳＣＨ）上にＨＡＲＱ−ＡＣＫをピギーバックできるかを示す。この例では、ＵＬ  ＤＡＩは、全てのＰＵＳＣＨ上にＨＡＲＱ−ＡＣＫをピギーバックできること（有効）を示す。
【０１８９】
スロット＃６に対するＨＡＲＱ−ＡＣＫ関連セットは、スロット＃−１〜＃３である。ＵＥは、スロット＃−１〜＃３に対する５ビットＨＡＲＱ−ＡＣＫを、スロット＃６のＰＵＳＣＨにピギーバックする。
【０１９０】
スロット＃７に対するＨＡＲＱ−ＡＣＫ関連セットは、スロット＃０〜＃４である。スロット＃０〜＃４に対する５ビットＨＡＲＱ−ＡＣＫを、スロット＃７のＰＵＳＣＨにピギーバックする。
【０１９１】
スロット＃８に対するＨＡＲＱ−ＡＣＫ関連セットは、スロット＃１〜＃５である。スロット＃１〜＃５に対する５ビットＨＡＲＱ−ＡＣＫを、スロット＃８のＰＵＳＣＨにピギーバックする。
【０１９２】
スロット＃９に対するＨＡＲＱ−ＡＣＫ関連セットは、スロット＃２〜＃５である。スロット＃２〜＃５に対する４ビットＨＡＲＱ−ＡＣＫに１ビットＮＡＣＫを追加した５ビットＨＡＲＱ−ＡＣＫを、スロット＃９のＰＵＳＣＨにピギーバックする。
【０１９３】
＜態様２−２＞
ＵＥがダイナミックＨＡＲＱ−ＡＣＫコードブック（タイプ２ＨＡＲＱ−ＡＣＫ子コードブック決定）を設定された場合について説明する。
【０１９４】
ダイナミックＨＡＲＱ−ＡＣＫコードブックを設定されたＵＥは、非特定ＰＵＳＣＨに対し、次の態様２−２−１、２−２−２の１つに従ってもよい。
【０１９５】
《態様２−２−１》
ＰＵＳＣＨ繰り返し送信をスケジュールするＤＣＩ（ＵＬ  ＤＣＩ、ＵＬグラント、ＤＣＩフォーマット０＿０、０＿１）内のＤＡＩ（ＵＬ  ＤＡＩ）は、当該ＰＵＳＣＨ繰り返し送信の中の１つのＰＵＳＣＨ（特定ＰＵＳＣＨ）上のＨＡＲＱ−ＡＣＫコードブックサイズを指示してもよい。
【０１９６】
特定ＰＵＳＣＨは、ＰＵＳＣＨ繰り返し送信内の、ＨＡＲＱ−ＡＣＫを運ぶＰＵＳＣＨのうち、所定条件を満たすＰＵＳＣＨであってもよい。所定条件は、前述の条件１〜３の１つであってもよい。
【０１９７】
ＰＤＳＣＨをスケジュールするＤＣＩ（ＤＬ  ＤＣＩ、ＤＬアサインメント、ＤＣＩフォーマット１＿０、１＿１）内のＤＡＩ（ＤＬトータルＤＡＩ）は、スケジュールされるＰＤＳＣＨ数（ＨＡＲＱ−ＡＣＫ数）を指示してもよい。
【０１９８】
ＵＥは、ＤＬ  ＤＣＩ内のＤＬトータルＤＡＩと、ＵＬ  ＤＣＩ内のＵＬ  ＤＡＩと、の少なくとも１つに基づいて、特定ＰＵＳＣＨにおけるＨＡＲＱ−ＡＣＫコードブックサイズを決定してもよい。
【０１９９】
ＰＵＳＣＨ繰り返し送信の中の１つの非特定ＰＵＳＣＨ上のＨＡＲＱ−ＡＣＫコードブックサイズ（ＨＡＲＱ−ＡＣＫビット数）が、特定ＰＵＳＣＨ上のＨＡＲＱ−ＡＣＫコードブックサイズよりも小さい場合、ＵＥは、当該非特定ＰＵＳＣＨ上のＨＡＲＱ−ＡＣＫにＮＡＣＫを追加してもよい。これによって、ＵＥは、当該非特定ＰＵＳＣＨ上のＨＡＲＱ−ＡＣＫコードブックサイズを特定ＰＵＳＣＨ上のＨＡＲＱ−ＡＣＫコードブックサイズと等しくしてもよい。
【０２００】
ＵＥは、特定ＰＵＳＣＨに対応するＤＬ  ＤＡＩの受信に失敗した場合であっても、ＵＬ  ＤＡＩに基づいて特定ＰＵＳＣＨにおけるＨＡＲＱ−ＡＣＫ送信を決定することができ、基地局は、ＨＡＲＱ−ＡＣＫを適切に受信できる。
【０２０１】
ＵＥは、特定ＰＵＳＣＨ上にＨＡＲＱ−ＡＣＫをピギーバックする場合、当該ＰＵＳＣＨ上のＵＬデータのレートマッチングによって得られるリソースに、ＨＡＲＱ−ＡＣＫをマップ（多重）してもよい。
【０２０２】
特定ＰＵＳＣＨ上にピギーバックされたＨＡＲＱ−ＡＣＫビット数までのＨＡＲＱ−ＡＣＫが、非特定ＰＵＳＣＨ上にピギーバックされることが許容されてもよい。言い換えれば、ＵＥは、特定ＰＵＳＣＨ上にピギーバックされたＨＡＲＱ−ＡＣＫビット数までのＨＡＲＱ−ＡＣＫを、非特定ＰＵＳＣＨ上にピギーバックしてもよい。
【０２０３】
基地局は、特定ＰＵＳＣＨ上にピギーバックされるＨＡＲＱ−ＡＣＫビット数よりも多いＨＡＲＱ−ＡＣＫを、非特定ＰＵＳＣＨ上にスケジュールしなくてもよい。ＵＥは、特定ＰＵＳＣＨ上にピギーバックされるＨＡＲＱ−ＡＣＫビット数よりも多いＨＡＲＱ−ＡＣＫを、非特定ＰＵＳＣＨ上にスケジュールされないと想定してもよい（スケジュールされることを想定しなくてもよい）。ＵＥは、特定ＰＵＳＣＨ上にピギーバックされるＨＡＲＱ−ＡＣＫビット数よりも多いＨＡＲＱ−ＡＣＫを、非特定ＰＵＳＣＨ上にスケジュールされた場合、エラーケースとして処理してもよい。
【０２０４】
基地局は、特定ＰＵＳＣＨのレートマッチングに対する処理と同様に、非特定ＰＵＳＣＨのレートマッチングを処理することによって、非特定ＰＵＳＣＨにおけるＵＬデータ及びＨＡＲＱ−ＡＣＫを適切に受信できる。
【０２０５】
図８の例において、ＵＥは、図４と同様の、ＤＣＩ＃０〜＃３、ＰＤＳＣＨ＃０〜＃２を受信する。
【０２０６】
この例において、ＵＥは、コードワード最大数＝２を設定される。よって、各ＰＤＳＣＨに対するＨＡＲＱ−ＡＣＫビット数は２である。特定ＰＵＳＣＨは、最も早いＰＵＳＣＨ（ＰＵＳＣＨ＃０）である。
【０２０７】
基地局は、スロット＃７、＃８、＃９において２ビットより多いＨＡＲＱ−ＡＣＫをスケジュールしない。
【０２０８】
ＤＣＩ＃０において、カウンタＤＡＩ（Ｃ＿ＤＡＩ）が１であり、トータルＤＡＩ（Ｔ＿ＤＡＩ）が１である。ＤＣＩ＃１において、カウンタＤＡＩが２であり、トータルＤＡＩが２である。ＤＣＩ＃２において、カウンタＤＡＩが１であり、トータルＤＡＩが１である。
【０２０９】
ＤＣＩ＃３において、ＵＬ  ＤＡＩが２である。
【０２１０】
ＵＥは、ＵＬ  ＤＡＩ×コードワード最大数＝４のＨＡＲＱ−ＡＣＫを特定ＰＵＳＣＨにピギーバックする。すなわち、ＵＥは、ＰＤＳＣＨ＃０、＃１に対応する４ビットＨＡＲＱ−ＡＣＫをＰＵＳＣＨ＃０にピギーバックする。
【０２１１】
ＵＥは、特定ＰＵＳＣＨ上のＨＡＲＱ−ＡＣＫビット数のＨＡＲＱ−ＡＣＫを非特定ＰＵＳＣＨ上にピギーバックする。すなわち、ＵＥは、ＰＤＳＣＨ＃１〜＃３に４ビットＨＡＲＱ−ＡＣＫをピギーバックする。
【０２１２】
ＵＥは、ＰＵＳＣＨ＃１に対応するＨＡＲＱ−ＡＣＫがないため、４ビットＮＡＣＫをＰＵＳＣＨ＃１にピギーバックする。
【０２１３】
ＵＥは、ＰＤＳＣＨ＃２に対応する２ビットＨＡＲＱ−ＡＣＫに２ビットＮＡＣＫを追加した４ビットＨＡＲＱ−ＡＣＫをＰＵＳＣＨ＃２にピギーバックする。
【０２１４】
ＵＥは、ＰＵＳＣＨ＃３に対応するＨＡＲＱ−ＡＣＫがないため、４ビットＮＡＣＫをＰＵＳＣＨ＃３にピギーバックする。
【０２１５】
《態様２−２−２》
ＰＵＳＣＨ繰り返し送信をスケジュールするＤＣＩ（ＵＬ  ＤＣＩ、ＵＬグラント、ＤＣＩフォーマット０＿０、０＿１）内のＤＡＩ（ＵＬ  ＤＡＩ）は、当該ＰＵＳＣＨ繰り返し送信の中の１つのＰＵＳＣＨにおけるＨＡＲＱ−ＡＣＫの最大ビット数（ＨＡＲＱ−ＡＣＫ最大数）を指示してもよい。
【０２１６】
ＰＵＳＣＨ繰り返し送信の中の各ＰＵＳＣＨ上のＨＡＲＱ−ＡＣＫビット数は、ＨＡＲＱ−ＡＣＫ最大数に等しくてもよい。ＵＥは、ＰＵＳＣＨ繰り返し送信のうち、ＨＡＲＱ−ＡＣＫフィードバックタイミングのＰＵＳＣＨ上に、ＨＡＲＱ−ＡＣＫ最大数のＨＡＲＱ−ＡＣＫをピギーバックしてもよい。
【０２１７】
ＰＵＳＣＨ繰り返し送信の中の１つのＰＵＳＣＨ上のＨＡＲＱ−ＡＣＫ数が、ＨＡＲＱ−ＡＣＫ最大数よりも小さい場合、ＵＥは、当該ＰＵＳＣＨ上のＨＡＲＱ−ＡＣＫにＮＡＣＫを追加してもよい。これによって、ＵＥは、当該ＰＵＳＣＨ上のＨＡＲＱ−ＡＣＫビット数をＨＡＲＱ−ＡＣＫ最大数と等しくしてもよい。
【０２１８】
基地局は、指示されたＨＡＲＱ−ＡＣＫ最大数のＨＡＲＱ−ＡＣＫを処理することによって、ＰＵＳＣＨ繰り返し送信におけるＵＬデータ及びＨＡＲＱ−ＡＣＫを適切に受信できる。
【０２１９】
図９の例において、ＵＥは、図４と同様の、ＤＣＩ＃０、＃２、＃３、ＰＤＳＣＨ＃０〜＃２を受信する。
【０２２０】
ＤＣＩ＃１は、ＰＤＳＣＨ＃１に対するＨＡＲＱ−ＡＣＫフィードバックタイミングとしてスロット＃８を指示する。
【０２２１】
ＵＥは、コードワード最大数＝２を設定される。
【０２２２】
ＤＣＩ＃０において、カウンタＤＡＩ（Ｃ＿ＤＡＩ）が１であり、トータルＤＡＩ（Ｔ＿ＤＡＩ）が１である。ＤＣＩ＃１において、カウンタＤＡＩが１であり、トータルＤＡＩが１である。ＤＣＩ＃２において、カウンタＤＡＩが２であり、トータルＤＡＩが２である。
【０２２３】
ＤＣＩ＃３において、ＵＬ  ＤＡＩが２である。
【０２２４】
ＵＥは、ＨＡＲＱ−ＡＣＫ最大数＝ＵＬ  ＤＡＩ×コードワード最大数＝４のＨＡＲＱ−ＡＣＫを、各ＰＵＳＣＨにピギーバックする。すなわち、ＵＥは、４ビットＨＡＲＱ−ＡＣＫをＰＵＳＣＨ＃０〜＃１のそれぞれにピギーバックする。
【０２２５】
ＵＥは、ＰＤＳＣＨ＃０に対応する２ビットＨＡＲＱ−ＡＣＫに２ビットＮＡＣＫを追加した４ビットＨＡＲＱ−ＡＣＫをＰＵＳＣＨ＃０にピギーバックする。
【０２２６】
ＵＥは、ＰＵＳＣＨ＃１に対応するＨＡＲＱ−ＡＣＫがないため、４ビットＮＡＣＫをＰＵＳＣＨ＃１にピギーバックする。
【０２２７】
ＵＥは、ＰＤＳＣＨ＃１、＃２に対応する４ビットＨＡＲＱ−ＡＣＫをＰＵＳＣＨ＃２にピギーバックする。
【０２２８】
ＵＥは、ＰＵＳＣＨ＃３に対応するＨＡＲＱ−ＡＣＫがないため、４ビットＮＡＣＫをＰＵＳＣＨ＃３にピギーバックする。
【０２２９】
（他の態様）
ＰＵＳＣＨ繰り返し送信がＤＣＩフォーマット０＿１によってスケジュールされた場合、ＵＥは、態様１を適用してもよい。
【０２３０】
ＰＵＳＣＨ繰り返し送信がＤＣＩフォーマット０＿０によってスケジュールされた場合、又は、ＰＵＳＣＨ繰り返し送信が設定グラント（configured  grant）ＰＵＳＣＨである場合、ＵＥは、ＰＵＳＣＨ繰り返し送信内の任意のＰＵＳＣＨに、任意のＨＡＲＱ−ＡＣＫをピギーバックしてもよい。
【０２３１】
設定グラントＰＵＳＣＨ（設定グラントベース送信）は、上位レイヤシグナリンによって設定されるＰＵＳＣＨ（タイプ１）であってもよいし、ＣＳ（Configured  Scheduling）−ＲＮＴＩでＣＲＣ（Cyclic  Redundancy  Check）スクランブルされるＤＣＩにより、所定周期のＰＵＳＣＨ送信のアクティブ化、非アクティブ化及び再送の少なくとも一つが制御されてもよい。動的グラントベース送信（初送又は再送）のでは、Ｃ−ＲＮＴＩでＣＲＣスクランブルされるＤＣＩにより、スケジューリングが制御されてもよい。
【０２３２】
この態様によれば、ＵＥは、ＤＣＩフォーマット、設定グラントＰＵＳＣＨであるか否か、によって、適切にＨＡＲＱ−ＡＣＫを送信できる。
【０２３３】
（無線通信システム）
以下、本実施の形態に係る無線通信システムの構成について説明する。この無線通信システムでは、上記複数の態様の少なくとも一つの組み合わせを用いて通信が行われる。
【０２３４】
図１０は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０２３５】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０２３６】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０２３７】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０２３８】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０２３９】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０２４０】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【０２４１】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０２４２】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０２４３】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０２４４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０２４５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０２４６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０２４７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０２４８】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０２４９】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０２５０】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０２５１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０２５２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０２５３】
＜基地局＞
図１１は、本実施の形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０２５４】
下りリンクによって基地局１０からユーザ端末２０に送信されるユーザデータは、上位局装置３０から伝送路インターフェース１０６を介してベースバンド信号処理部１０４に入力される。
【０２５５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０２５６】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０２５７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０２５８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０２５９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０２６０】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０２６１】
また、送受信部１０３は、ユーザ端末２０に対して下り（ＤＬ）信号（ＤＬデータ信号（下り共有チャネル）、ＤＬ制御信号（下り制御チャネル）、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０２６２】
また、送受信部１０３は、下り共有チャネルのスケジューリングに利用する下り制御情報を送信し、下り共有チャネルに対する送達確認信号を受信してもよい。
【０２６３】
図１２は、本実施の形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０２６４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０２６５】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０２６６】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０２６７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０２６８】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０２６９】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０２７０】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０２７１】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０２７２】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０２７３】
測定部３０５は、受信した信号に関する測定を実施する。測定部３０５は、本開示に係る技術分野での共通認識に基づいて説明される測定器、測定回路又は測定装置から構成することができる。
【０２７４】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０２７５】
＜ユーザ端末＞
図１３は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２７６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２７７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２７８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０２７９】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０２８０】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０２８１】
また、送受信部２０３は、基地局１０から下り（ＤＬ）信号（ＤＬデータ信号（下り共有チャネル）、ＤＬ制御信号（下り制御チャネル）、ＤＬ参照信号の少なくとも一つを含む）を受信し、基地局１０に対して上り（ＵＬ）信号（ＵＬデータ信号、ＵＬ制御信号、ＵＬ参照信号の少なくとも一つを含む）を送信する。
【０２８２】
また、送受信部２０３は、下り制御情報でスケジューリングされる下り共有チャネルを受信し、下り共有チャネルに対する送達確認信号を送信してもよい。送受信部２０３は、下り制御情報でスケジューリングされる上り共有チャネルを送信してもよい。
【０２８３】
図１４は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０２８４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２８５】
制御部４０１は、ユーザ端末２０全体の制御を実施する。制御部４０１は、本開示に係る技術分野での共通認識に基づいて説明されるコントローラ、制御回路又は制御装置から構成することができる。
【０２８６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０２８７】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２８８】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０２８９】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０２９０】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２９１】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２９２】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２９３】
測定部４０５は、受信した信号に関する測定を実施する。測定部４０５は、本開示に係る技術分野での共通認識に基づいて説明される測定器、測定回路又は測定装置から構成することができる。
【０２９４】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０２９５】
また、送受信部２０３は、繰り返し送信によって複数の上り共有チャネルを送信してもよい。制御部４０１は、下りデータ（ＰＤＳＣＨ）に対するＨＡＲＱ−ＡＣＫ（Hybrid  Automatic  Repeat  reQuest−Acknowledgement）の数（ＨＡＲＱ−ＡＣＫコードブックサイズ、ＵＬ  ＤＡＩ、ＤＬトータルＤＡＩ、ＨＡＲＱ−ＡＣＫフィードバックタイミングが同じスロットであるＨＡＲＱ−ＡＣＫの数）に基づいて、前記複数の上り共有チャネルの少なくとも１つ（ＰＵＳＣＨ、特定ＰＵＳＣＨ、非特定ＰＵＳＣＨ）において前記ＨＡＲＱ−ＡＣＫを送信してもよい。
【０２９６】
また、前記複数の上り共有チャネルのうち所定条件を満たす１つの特定上り共有チャネル（特定ＰＵＳＣＨ）において送信されるＨＡＲＱ−ＡＣＫの有無又は数は、前記繰り返し送信のスケジューリングのための下り制御情報に含まれる下り割り当てインデックス（ＤＡＩ、ＵＬ  ＤＡＩ、ＤＬトータルＤＡＩ）に基づいてもよい。
【０２９７】
また、前記複数の上り共有チャネルのそれぞれにおいて送信されるＨＡＲＱ−ＡＣＫの有無又は数は、前記繰り返し送信のスケジューリングのための下り制御情報に含まれる下り割り当てインデックス（ＤＡＩ、ＵＬ  ＤＡＩ、ＤＬトータルＤＡＩ）に基づいてもよい。
【０２９８】
また、制御部４０１は、前記複数の上り共有チャネルのうち所定条件を満たす特定上り共有チャネル（特定ＰＵＳＣＨ）においてレートマッチングを行い、前記複数の上り共有チャネルのうち前記特定上り共有チャネル以外の上り共有チャネル（非特定ＰＵＳＣＨ）において、レートマッチングを行わなくてもよい。
【０２９９】
また、制御部４０１は、前記複数の上り共有チャネルのうち所定条件を満たす特定上り共有チャネル（特定ＰＵＳＣＨ）においてレートマッチングを行い、前記複数の上り共有チャネルのうち前記特定上り共有チャネル以外の上り共有チャネル（非特定ＰＵＳＣＨ）において、レートマッチングを行ってもよい。
【０３００】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０３０１】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０３０２】
例えば、本開示の一実施形態における基地局、ユーザ端末などは、本開示の無線通信方法の処理を行うコンピュータとして機能してもよい。図１５は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０３０３】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０３０４】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０３０５】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０３０６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０３０７】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０３０８】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０３０９】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０３１０】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３（２０３）は、送信部１０３ａ（２０３ａ）と受信部１０３ｂ（２０３ｂ）とで、物理的に又は論理的に分離された実装がなされてもよい。
【０３１１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０３１２】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０３１３】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０３１４】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０３１５】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０３１６】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０３１７】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０３１８】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０３１９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０３２０】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０３２１】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０３２２】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０３２３】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０３２４】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０３２５】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０３２６】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０３２７】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０３２８】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０３２９】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０３３０】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０３３１】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０３３２】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０３３３】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０３３４】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０３３５】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０３３６】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０３３７】
また、情報、信号などは、上位レイヤから下位レイヤ及び下位レイヤから上位レイヤの少なくとも一方へ出力され得る。情報、信号などは、複数のネットワークノードを介して入出力されてもよい。
【０３３８】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０３３９】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０３４０】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０３４１】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０３４２】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０３４３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０３４４】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０３４５】
本開示において使用する「システム」及び「ネットワーク」という用語は、互換的に使用され得る。
【０３４６】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０３４７】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０３４８】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０３４９】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０３５０】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０３５１】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０３５２】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０３５３】
同様に、本開示におけるユーザ端末は、基地局で読み替えてもよい。この場合、上述のユーザ端末２０が有する機能を基地局１０が有する構成としてもよい。
【０３５４】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０３５５】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０３５６】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０３５７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３５８】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０３５９】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０３６０】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０３６１】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０３６２】
また、「判断（決定）」は、「想定する（assuming）」、「期待する（expecting）」、「みなす（considering）」などで読み替えられてもよい。
【０３６３】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０３６４】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３６５】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３６６】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３６７】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３６８】
本開示において、例えば、英語でのa,  an及びtheのように、翻訳によって冠詞が追加された場合、本開示は、これらの冠詞の後に続く名詞が複数形であることを含んでもよい。
【０３６９】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【０３７０】
本出願は、２０１８年８月２１日出願の特願２０１８−１６７３４７に基づく。この内容は、全てここに含めておく。
【図１】
2020040179.tif 000003
【図２】
2020040179.tif 000004
【図３】
2020040179.tif 000005
【図４】
2020040179.tif 000006
【図５】
2020040179.tif 000007
【図６】
2020040179.tif 000008
【図７】
2020040179.tif 000009
【図８】
2020040179.tif 000010
【図９】
2020040179.tif 000011
【図１０】
2020040179.tif 000012
【図１１】
2020040179.tif 000013
【図１２】
2020040179.tif 000014
【図１３】
2020040179.tif 000015
【図１４】
2020040179.tif 000016
【図１５】
2020040179.tif 000017
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
２つより多いスロットにわたるphysical  uplink  shared  channel（ＰＵＳＣＨ）のスケジューリングのためのdownlink  control  information（ＤＣＩ）を受信する受信部と、
hybrid  automatic  repeat  request−acknowledgement（ＨＡＲＱ−ＡＣＫ）情報用のフィードバックタイミング指示フィールドによって指示されるスロットが、前記２つより多いスロットのうちの２つのスロットと重複する場合、前記ＤＣＩ内のdownlink  assignment  index（ＤＡＩ）フィールドの値に基づいて、前記ＰＵＳＣＨ内の前記２つのスロットにおいて前記ＨＡＲＱ−ＡＣＫ情報を送信するか否かを決定する制御部と、を有する端末。
【請求項２】
前記ＰＵＳＣＨは、前記２つより多いスロットにわたる繰り返し送信である、請求項１に記載の端末。
【請求項３】
前記ＤＡＩフィールドの値が１である場合、前記送信部は、前記ＰＵＳＣＨにおいて前記ＨＡＲＱ−ＡＣＫ情報を送信し、
前記ＤＡＩフィールドの値が０である場合、前記送信部は、前記ＰＵＳＣＨにおいて前記ＨＡＲＱ−ＡＣＫ情報を送信しない、請求項１又は請求項２に記載の端末。
【請求項４】
前記端末がセミスタティックＨＡＲＱ−ＡＣＫコードブックを設定された場合、前記制御部は、前記ＤＡＩフィールドの値に基づいて、前記ＰＵＳＣＨにおいて前記ＨＡＲＱ−ＡＣＫ情報を送信するか否かを決定する、請求項１から請求項３のいずれかに記載の端末。
【請求項５】
２つより多いスロットにわたるphysical  uplink  shared  channel（ＰＵＳＣＨ）のスケジューリングのためのdownlink  control  information（ＤＣＩ）を受信するステップと、
hybrid  automatic  repeat  request−acknowledgement（ＨＡＲＱ−ＡＣＫ）情報用のフィードバックタイミング指示フィールドによって指示されるスロットが、前記２つより多いスロットのうちの２つのスロットと重複する場合、前記ＤＣＩ内のdownlink  assignment  index（ＤＡＩ）フィールドの値に基づいて、前記ＰＵＳＣＨ内の前記２つのスロットにおいて前記ＨＡＲＱ−ＡＣＫ情報を送信するか否かを決定するステップと、を有する、端末の無線通信方法。
【請求項６】
２つより多いスロットにわたるphysical  uplink  shared  channel（ＰＵＳＣＨ）のスケジューリングのためのdownlink  control  information（ＤＣＩ）を送信する送信部と、
hybrid  automatic  repeat  request−acknowledgement（ＨＡＲＱ−ＡＣＫ）情報の受信を制御する制御部と、を有し、
前記ＨＡＲＱ−ＡＣＫ情報用のフィードバックタイミング指示フィールドによって指示されるスロットが、前記２つより多いスロットのうちの２つのスロットと重複する場合、前記ＰＵＳＣＨ内の前記２つのスロットにおいて前記ＨＡＲＱ−ＡＣＫ情報が送信されるか否かは、前記ＤＣＩ内のdownlink  assignment  index（ＤＡＩ）フィールドの値に基づく、基地局。
【請求項７】
端末と基地局とを有するシステムであって、
前記端末は、
２つより多いスロットにわたるphysical  uplink  shared  channel（ＰＵＳＣＨ）のスケジューリングのためのdownlink  control  information（ＤＣＩ）を受信する受信部と、
hybrid  automatic  repeat  request−acknowledgement（ＨＡＲＱ−ＡＣＫ）情報用のフィードバックタイミング指示フィールドによって指示されるスロットが、前記２つより多いスロットのうちの２つのスロットと重複する場合、前記ＤＣＩ内のdownlink  assignment  index（ＤＡＩ）フィールドの値に基づいて、前記ＰＵＳＣＨ内の前記２つのスロットにおいて前記ＨＡＲＱ−ＡＣＫ情報を送信するか否かを決定する制御部と、を有し、
前記基地局は、前記ＤＣＩを送信する、システム。
【手続補正３】
【補正対象書類名】明細書
【補正対象項目名】００１２
【補正方法】変更
【補正の内容】
【００１２】
本開示の一態様に係る端末は、２つより多いスロットにわたるphysical  uplink  shared  channel（ＰＵＳＣＨ）のスケジューリングのためのdownlink  control  information（ＤＣＩ）を受信する受信部と、hybrid  automatic  repeat  request−acknowledgement（ＨＡＲＱ−ＡＣＫ）情報用のフィードバックタイミング指示フィールドによって指示されるスロットが、前記２つより多いスロットのうちの２つのスロットと重複する場合、前記ＤＣＩ内のdownlink  assignment  index（ＤＡＩ）フィールドの値に基づいて、前記ＰＵＳＣＨ内の前記２つのスロットにおいて前記ＨＡＲＱ−ＡＣＫ情報を送信するか否かを決定する制御部と、を有する。
【国際調査報告】
2020040179.tif 000018
2020040179.tif 000019